(57)【要約】  フレーバーを放出するためのシステムは、それぞれの複数のカプセルを収容するように適合されている複数の区画と、各カプセルはその中にフレーバー素材を含み、少なくとも１つのフレーバー素材から取得した流体を環境に供給するように構成されているディスペンサーシステムと、供給プロトコルを自動的に選択するように、ディスペンサーシステムに信号を送信して区画のうちの少なくとも１つのカプセル中に含まれる少なくとも１つのフレーバー素材から取得した流体を供給するように、および、シャッフルプロトコルにしたがって、選択と信号の送信とを自動的に再実行するように構成されている制御装置とを備える。【選択図】図１Ａ
2020521554.tif 000002
【特許請求の範囲】
【請求項１】
フレーバーを放出するためのシステムであって、
それぞれの複数のカプセルを収容するように適合されている複数の区画と、各カプセルはその中にフレーバー素材を含み、
少なくとも１つのフレーバー素材から取得した流体を環境に供給するように構成されているディスペンサーシステムと、
供給プロトコルを自動的に選択するように、前記ディスペンサーシステムに信号を送信して前記区画のうちの少なくとも１つのカプセル中に含まれる少なくとも１つのフレーバー素材から取得した流体を供給するように、および、シャッフルプロトコルにしたがって、前記選択と前記信号の送信とを自動的に再実行するように構成されている制御装置とを備える、システム。
【請求項２】
前記制御装置は、コンテナ中のカプセルの内容物に関係する情報を抽出し、前記情報に基づいて、シャッフルプロトコルを自動的に選択するように構成されている、請求項１に記載のシステム。
【請求項３】
前記シャッフルプロトコルまたは前記シャッフルプロトコルに対するパラメータを選択するように構成されているユーザインターフェースをさらに備える、請求項１〜２のうちのいずれか１項に記載のシステム。
【請求項４】
前記制御装置は、より高い供給レートを有する供給アクティビティとより低い供給レートを有する供給アクティビティとの間でシャッフルするように構成されている、請求項１に記載のシステム。
【請求項５】
前記制御装置は、より高い供給レートを有する供給アクティビティとより低い供給レートを有する供給アクティビティとの間でシャッフルするように構成されている、請求項２〜３のうちのいずれか１項に記載のシステム。
【請求項６】
前記制御装置は、より長い期間を有する供給アクティビティとより短い期間を有する供給アクティビティとの間でシャッフルするように構成されている、請求項１に記載のシステム。
【請求項７】
前記制御装置は、より長い期間を有する供給アクティビティとより短い期間を有する供給アクティビティとの間でシャッフルするように構成されている、請求項２〜５のうちのいずれか１項に記載のシステム。
【請求項８】
前記制御装置は、供給イベント間に、より長い休止を有する供給アクティビティと供給イベント間に、より短い休止を有する供給アクティビティとの間でシャッフルするように構成されている、請求項１に記載のシステム。
【請求項９】
前記制御装置は、供給イベント間に、より長い休止を有する供給アクティビティと供給イベント間に、より短い休止を有する供給アクティビティとの間でシャッフルするように構成されている、請求項２〜７のうちのいずれか１項に記載のシステム。
【請求項１０】
前記制御装置は、混合比間でシャッフルするように、および、前記混合比に応答して、少なくとも２つのカプセルから供給される流体の相対量を、各混合比に対して制御するように構成されている、請求項１に記載のシステム。
【請求項１１】
前記制御装置は、混合比間でシャッフルするように、および、前記混合比に応答して、少なくとも２つのカプセルから供給される流体の相対量を、各混合比に対して制御するように構成されている、請求項２〜９のうちのいずれか１項に記載のシステム。
【請求項１２】
前記量は、異なる時間期間を通して異なる流体を放出することによるものである、請求項１０に記載のシステム。
【請求項１３】
前記量の前記制御は、異なる時間期間に渡って異なる流体を放出することによるものである、請求項１１に記載のシステム。
【請求項１４】
複数の個別に制御されるファンまたはブロワーを備え、それぞれは異なる区画からフローを生成し、前記量の前記制御は、前記ファンまたはブロワーの回転スピードを制御することによるものである、請求項１０に記載のシステム。
【請求項１５】
前記ディスペンサーシステムは、複数の個別に制御されるファンまたはブロワーを備え、それぞれは異なる区画からフローを生成し、前記量の前記制御は、前記ファンまたはブロワーの回転スピードを制御することによるものである、請求項１１に記載のシステム。
【請求項１６】
前記制御装置は、シャッフルプトロコルにしたがって、自動的に区画を選択するように、および、前記選択した区画のカプセル中に含まれるフレーバー素材から取得した流体を供給するように、ディスペンサーシステムに信号を送信するように構成されている、請求項１に記載のシステム。
【請求項１７】
前記制御装置は、シャッフルプトロコルにしたがって、自動的に区画を選択するように、および、前記選択した区画のカプセル中に含まれるフレーバー素材から取得した流体を供給するように、ディスペンサーシステムに信号を送信するように構成されている、請求項２〜１５のうちのいずれか１項に記載のシステム。
【請求項１８】
前記制御装置は、シャッフルプトロコルにしたがって、自動的に少なくとも２つの区画を選択するように、および、前記選択した少なくとも２つの区画のカプセル中に含まれるフレーバー素材から取得した流体を供給するように、前記ディスペンサーシステムに信号を送信するように構成されている、請求項１に記載のシステム。
【請求項１９】
前記制御装置は、シャッフルプトロコルにしたがって、自動的に少なくとも２つの区画を選択するように、および、前記選択した少なくとも２つの区画のカプセル中に含まれるフレーバー素材から取得した流体を供給するように、前記ディスペンサーシステムに信号を送信するように構成されている、請求項２〜１５のうちのいずれか１項に記載のシステム。
【請求項２０】
前記複数のカプセルのうちの少なくとも２つのそれぞれは、異なるフレーバー素材をその中に含む、請求項１に記載のシステム。
【請求項２１】
前記複数のカプセルのうちの少なくとも２つのそれぞれは、異なるフレーバー素材をその中に含む、請求項２〜１９のうちのいずれか１項に記載のシステム。
【請求項２２】
前記複数のカプセルのうちの少なくとも２つのそれぞれは、同じフレーバー素材を含むが、異なる濃度である、請求項１に記載のシステム。
【請求項２３】
前記複数のカプセルのうちの少なくとも２つのそれぞれは、同じフレーバー素材を含むが、異なる濃度である、請求項２〜２１のうちのいずれか１項に記載のシステム。
【請求項２４】
前記ディスペンサーシステムは、複数の供給要素を備え、前記制御装置は、異なるカプセル中に含まれるフレーバー素材から取得した流体を供給するように各供給要素に信号を送信する、請求項１に記載のシステム。
【請求項２５】
前記ディスペンサーシステムは、複数の供給要素を備え、前記制御装置は、異なるカプセル中に含まれるフレーバー素材から取得した流体を供給するように各供給要素に信号を送信する、請求項２〜２３のうちのいずれか１項に記載のシステム。
【請求項２６】
前記ディスペンサーシステムは、それぞれの区画と前記環境との間に流体連結を形成する少なくとも１つの流体チャネルを備え、前記制御装置は、前記少なくとも１つのチャネルを開き、および、塞ぎ、それにより、前記流体連結を確立する、または、回避するように構成されている、請求項１に記載のシステム。
【請求項２７】
前記ディスペンサーシステムは、それぞれの区画と前記環境との間に流体連結を形成する少なくとも１つの流体チャネルを備え、前記制御装置は、前記少なくとも１つのチャネルを開き、および、塞ぎ、それにより、前記流体連結を確立する、または、回避するように構成されている、請求項２〜２３のうちのいずれか１項に記載のシステム。
【請求項２８】
混合チャンバをさらに備え、前記ディスペンサーシステムは、それぞれの区画と前記混合チャンバとの間に流体連結を形成する少なくとも１つの流体チャネルを備え、前記制御装置は、前記少なくとも１つの流体チャネルを開き、および、塞ぎ、それにより、前記流体連結を確立する、または、回避するように構成されている、請求項１に記載のシステム。
【請求項２９】
混合チャンバをさらに備え、前記ディスペンサーシステムは、それぞれの区画と前記混合チャンバとの間に流体連結を形成する少なくとも１つの流体チャネルを備え、前記制御装置は、前記少なくとも１つの流体チャネルを開き、および、塞ぎ、それにより、前記流体連結を確立する、または、回避するように構成されている、請求項２〜２７のうちのいずれか１項に記載のシステム。
【請求項３０】
各カプセルの重量を別々に測定するように構成される重量測定デバイスをさらに備える、請求項１に記載のシステム。
【請求項３１】
各カプセルの重量を別々に測定するように構成される重量測定デバイスをさらに備える、請求項２〜２９のうちのいずれか１項に記載のシステム。
【請求項３２】
（ｉ）前記制御装置および／または前記ディスペンサーシステムをアクティブ化すること、（ｉｉ）前記制御装置および／または前記ディスペンサーシステムを非アクティブ化すること、ならびに、（ｉｉｉ）選択データを入れることのうちの少なくとも１つをするように構成されているユーザインターフェースをさらに備える、請求項１に記載のシステム。
【請求項３３】
（ｉ）前記制御装置および／または前記ディスペンサーシステムをアクティブ化すること、（ｉｉ）前記制御装置および／または前記ディスペンサーシステムを非アクティブ化すること、ならびに、（ｉｉｉ）選択データを入れることのうちの少なくとも１つをするように構成されているユーザインターフェースをさらに備える、請求項２〜３１のうちのいずれか１項に記載のシステム。
【請求項３４】
各カプセルの重量を別々に測定するように構成されている重量測定デバイスをさらに備え、前記制御装置は、前記重量測定デバイスから重量データを受信し、前記重量データに基づいて、量を制御するように構成されている、請求項１８に記載のシステム。
【請求項３５】
各カプセルの重量を別々に測定するように構成されている重量測定デバイスをさらに備え、前記制御装置は、前記重量測定デバイスから重量データを受信し、前記重量データに基づいて、量を制御するように構成されている、請求項１９に記載のシステム。
【請求項３６】
遠隔ユーザインターフェースと通信するように構成されている通信システムをさらに備える、請求項１に記載のシステム。
【請求項３７】
遠隔ユーザインターフェースと通信するように構成されている通信システムをさらに備える、請求項２〜３５のうちのいずれか１項に記載のシステム。
【請求項３８】
前記ディスペンサーシステムは、前記フレーバー素材を加熱し、前記流体を形成するように構成されている、請求項１に記載のシステム。
【請求項３９】
前記ディスペンサーシステムは、前記フレーバー素材を加熱し、前記流体を形成するように構成されている、請求項２〜３７のうちのいずれか１項に記載のシステム。
【請求項４０】
前記ディスペンサーシステムは、超音波を前記フレーバー素材に印加し、それにより、前記流体を供給するように構成されている、請求項１に記載のシステム。
【請求項４１】
前記ディスペンサーシステムは、超音波を前記フレーバー素材に印加し、それにより、前記流体を供給するように構成されている、請求項２〜３９のうちのいずれか１項に記載のシステム。
【請求項４２】
前記ディスペンサーシステムは、気体の流れを前記フレーバー素材に印加し、それにより、前記流体を供給するように構成されている、請求項１に記載のシステム。
【請求項４３】
前記ディスペンサーシステムは、気体の流れを前記フレーバー素材に印加し、それにより、前記流体を供給するように構成されている、請求項２〜４１のうちのいずれか１項に記載のシステム。
【請求項４４】
前記ディスペンサーシステムは、噴霧器を備える、請求項１に記載のシステム。
【請求項４５】
前記ディスペンサーシステムは、噴霧器を備える、請求項２〜４３のうちのいずれか１項に記載のシステム。
【請求項４６】
前記ディスペンサーシステムは、加湿器を備える、請求項１に記載のシステム。
【請求項４７】
前記ディスペンサーシステムは、加湿器を備える、請求項２〜４５のうちのいずれか１項に記載のシステム。
【請求項４８】
前記ディスペンサーシステムは、ブロワーまたはファンを備える、請求項１に記載のシステム。
【請求項４９】
前記ディスペンサーシステムは、ブロワーまたはファンを備える、請求項２〜４５のうちのいずれか１項に記載のシステム。
【請求項５０】
前記カプセルのうちの少なくとも１つは、室温のときに固体状態である前記フレーバー素材を含む、請求項１に記載のシステム。
【請求項５１】
前記カプセルのうちの少なくとも１つは、室温のときに固体状態である前記フレーバー素材を含む、請求項２〜４９のうちのいずれか１項に記載のシステム。
【請求項５２】
前記カプセルのうちの少なくとも１つは、室温のときに液体状態である前記フレーバー素材を含む、請求項１に記載のシステム。
【請求項５３】
前記カプセルのうちの少なくとも１つは、室温のときに液体状態である前記フレーバー素材を含む、請求項２〜５１のうちのいずれか１項に記載のシステム。
【請求項５４】
前記カプセルのうちの少なくとも１つは、室温のときに気体状態である前記フレーバー素材を含む、請求項１に記載のシステム。
【請求項５５】
前記カプセルのうちの少なくとも１つは、室温のときに気体状態である前記フレーバー素材を含む、請求項２〜５３のうちのいずれか１項に記載のシステム。
【請求項５６】
前記カプセルのうちの少なくとも１つにおける前記フレーバー素材は、香り素材である、請求項１に記載のシステム。
【請求項５７】
前記カプセルのうちの少なくとも１つにおける前記フレーバー素材は、香り素材である、請求項２〜５５のうちのいずれか１項に記載のシステム。
【請求項５８】
環境にフレーバーを放出する方法は、請求項１〜５６のうちのいずれか１項にしたがって、システムに複数のカプセルを装填することを備え、それぞれはそこにフレーバー素材を含み、前記システムをアクティブ化し、前記カプセルのうちの少なくとも１つの中に含まれるフレーバー素材から取得した流体を供給することを含む、方法。
【請求項５９】
前記環境は、リビングルーム、ベッドルーム、キッチン、トイレ、ホテルの部屋、ロビー、待合室、オフィス、レストラン、マッサージパーラー、および、車両からなる群から選択される、請求項５８に記載の方法。
【発明の詳細な説明】
【関連出願】
【０００１】
本出願は、２０１７年５月２５日に出願された、米国仮特許出願第６２／５１０，８５１号の優先権の利益を主張し、その内容は、参照によってその全体がここに組み込まれている。
【本発明の分野および背景】
【０００２】
本発明は、そのいくつかの実施形態において、流体の環境への放出に関し、排他的ではないがより具体的には、フレーバーを選択し、放出するためのシステムおよび方法に関する。
【０００３】
人が集まる任意の場所において、さまざまな臭気、フレグランス、およびこれらに類するものがあるだろう。心地よい匂いの環境を維持するために、しばしば苦闘することが多いことは住宅所有者と企業に共通である。料理、個人衛生用品、ペットの存在、および、タバコの煙のようなさまざまなものからの多くの臭気は、住宅または企業に存在することがある。これらのタイプの臭気は、抑制することが困難であることが多い。
【０００４】
アロマ放射デバイスはよく知られており、所定のエリアで人に心地よい空気を提供するために、住宅および商業施設で一般的に使用される。このようなデバイスは、受動的にまたは能動的に一般周囲にアロマを行き渡らせる。
【０００５】
受動デバイスの例は、エアウィック、香りのするゲルパック、および、アロマ液の瓶中に置かれ、瓶から突出するアロマスティックを含み、液体はスティックを通して吸収され、上に引き上げられ、液体はスティックの表面から蒸発する。アクティブなアロマデバイスの１つのタイプは、電力コンセントにプラグで接続されると、小さな加熱素子は、部材を含むアロマ液を加熱し、したがって、液体を蒸発させ、隣接する周囲に漏れ出る。アクティブなアロマデバイスの別の例は、バッテリーまたは壁コンセントによって電力を供給され、周期的に部屋中にアロマミストを吹きかける。
【０００６】
アロマデバイスは、さまざまな選択した香りを楽しむ個人によって一般的に使用される。さらに、このようなアロマデバイスの使用は、特定の周囲で個人の一般的なふるまいを向上または増強することが見出されている。ある香りは、一般的に、人に望ましい気分の変化をもたらすことが見出されている。
【０００７】
国際公開番号ＷＯ２０１６／０９８１１４は、フレーバーを放出するためのシステムを開示している。システムは、それぞれの複数のカプセルを収容するように適合されている複数の区画と、それぞれのカプセルは、そこにフレーバー素材を備え、少なくとも１つのフレーバー素材から取得した流体を環境に供給するように構成されているディスペンサーシステムと、区画のうちの少なくとも２つの選択に関するデータを受信し、選択した区画のカプセル中に含まれるフレーバー素材から取得した流体を供給するようにディスペンサーシステムに信号を送信（signaling）するように構成されている制御装置とを備えている。
【発明の概要】
【０００８】
本発明のいくつかの実施形態の態様にしたがうと、フレーバーを放出するためのシステムが提供される。システムは、それぞれの複数のカプセルを収容するように適合されている複数の区画と、各カプセルはその中にフレーバー素材を含み、少なくとも１つのフレーバー素材から取得した流体を環境に供給するように構成されているディスペンサーシステムと、供給プロトコルを自動的に選択するように、ディスペンサーシステムに信号を送信して区画のうちの少なくとも１つのカプセル中に含まれる少なくとも１つのフレーバー素材から取得した流体を供給するように、および、シャッフルプロトコル（shuffle protocol）にしたがって、選択と信号の送信とを自動的に再実行するように構成されている制御装置とを備える。
【０００９】
本発明のいくつかの実施形態の態様にしたがうと、制御装置は、コンテナ中のカプセルの内容物に関係する情報を抽出し、情報に基づいて、シャッフルプロトコルを自動的に選択するように構成されている。
【００１０】
本発明のいくつかの実施形態の態様にしたがうと、システムは、シャッフルプロトコルまたはシャッフルプロトコルに対するパラメータを選択するように構成されているユーザインターフェースを備えている。
【００１１】
本発明のいくつかの実施形態の態様にしたがうと、制御装置は、より高い供給レートを有する供給アクティビティとより低い供給レートを有する供給アクティビティとの間でシャッフルする(shuffling)ように構成されている。
【００１２】
本発明のいくつかの実施形態の態様にしたがうと、制御装置は、より長い期間を有する供給アクティビティとより短い期間を有する供給アクティビティとの間でシャッフルするように構成されている。
【００１３】
本発明のいくつかの実施形態の態様にしたがうと、制御装置は、供給イベント間に、より長い休止を有する供給アクティビティと供給イベント間に、より短い休止を有する供給アクティビティとの間でシャッフルするように構成されている。
【００１４】
本発明のいくつかの実施形態の態様にしたがうと、制御装置は、混合比間でシャッフルするように、および、混合比に応答して、少なくとも２つのカプセルから供給される流体の相対量を、各混合比に対して制御するように構成されている。
【００１５】
本発明のいくつかの実施形態の態様にしたがうと、量の制御は、異なる時間期間に渡って異なる流体を放出することによるものである。
【００１６】
本発明のいくつかの実施形態の態様にしたがうと、ディスペンサーシステムは、複数の個別に制御されるファンまたはブロワーを備え、それぞれは異なる区画からフローを生成し、量の制御は、ファンまたはブロワーの回転スピードを制御することによるものである。
【００１７】
本発明のいくつかの実施形態の態様にしたがうと、制御装置は、シャッフルプトロコルにしたがって、自動的に区画を選択するように、および、選択した区画のカプセル中に含まれるフレーバー素材から取得した流体を供給するように、ディスペンサーシステムに信号を送信するように構成されている。
【００１８】
本発明のいくつかの実施形態の態様にしたがうと、制御装置は、シャッフルプトロコルにしたがって、自動的に少なくとも２つの区画を選択するように、および、選択した少なくとも２つの区画のカプセル中に含まれるフレーバー素材から取得した流体を供給するように、ディスペンサーシステムに信号を送信するように構成されている。
【００１９】
本発明のいくつかの実施形態の態様にしたがうと、複数のカプセルのうちの少なくとも２つのそれぞれは、異なるフレーバー素材をその中に含む。
【００２０】
本発明のいくつかの実施形態の態様にしたがうと、複数のカプセルのうちの少なくとも２つのそれぞれは、同じフレーバー素材を含むが、異なる濃度である。
【００２１】
本発明のいくつかの実施形態の態様にしたがうと、ディスペンサーシステムは、複数の供給要素を備え、制御装置は、異なるカプセル中に含まれるフレーバー素材から取得した流体を供給するように各供給要素に信号を送信する。
【００２２】
本発明のいくつかの実施形態の態様にしたがうと、ディスペンサーシステムは、それぞれの区画と環境との間に流体連結を形成する少なくとも１つの流体チャネルを備え、制御装置は、少なくとも１つのチャネルを開き、および、塞ぎ、それにより、流体連結を確立する、または、回避するように構成されている。
【００２３】
本発明のいくつかの実施形態の態様にしたがうと、システムは、混合チャンバを備え、ディスペンサーシステムは、それぞれの区画と混合チャンバとの間に流体連結を形成する少なくとも１つの流体チャネルを備え、制御装置は、少なくとも１つの流体チャネルを開き、および、塞ぎ、それにより、流体連結を確立する、または、回避するように構成されている。
【００２４】
本発明のいくつかの実施形態の態様にしたがうと、システムは、各カプセルの重量を別々に測定するように構成される重量測定デバイスを備えている。
【００２５】
本発明のいくつかの実施形態の態様にしたがうと、ユーザインターフェースは、（ｉ）制御装置および／またはディスペンサーシステムをアクティブ化すること、（ｉｉ）制御装置および／またはディスペンサーシステムを非アクティブ化すること、ならびに、（ｉｉｉ）選択データを入れることのうちの少なくとも１つをするように構成されている。
【００２６】
本発明のいくつかの実施形態の態様にしたがうと、システムは、各カプセルの重量を別々に測定するように構成されている重量測定デバイスを備え、制御装置は、重量測定デバイスから重量データを受信し、重量データに基づいて、量を制御するように構成されている。
【００２７】
本発明のいくつかの実施形態の態様にしたがうと、システムは、遠隔ユーザインターフェースと通信するように構成されている通信システムを備える。
【００２８】
本発明のいくつかの実施形態の態様にしたがうと、ディスペンサーシステムは、フレーバー素材を加熱し、流体を形成するように構成されている。
【００２９】
本発明のいくつかの実施形態の態様にしたがうと、ディスペンサーシステムは、超音波をフレーバー素材に印加し、それにより、流体を供給するように構成されている。
【００３０】
本発明のいくつかの実施形態の態様にしたがうと、ディスペンサーシステムは、気体の流れをフレーバー素材に印加し、それにより、流体を供給するように構成されている。
【００３１】
本発明のいくつかの実施形態の態様にしたがうと、ディスペンサーシステムは、噴霧器を備える。
【００３２】
本発明のいくつかの実施形態の態様にしたがうと、ディスペンサーシステムは、加湿器を備える。
【００３３】
本発明のいくつかの実施形態の態様にしたがうと、ディスペンサーシステムは、ブロワーまたはファンを備える。
【００３４】
本発明のいくつかの実施形態の態様にしたがうと、カプセルのうちの少なくとも１つは、室温のときに固体状態であるフレーバー素材を含む。
【００３５】
本発明のいくつかの実施形態の態様にしたがうと、カプセルのうちの少なくとも１つは、室温のときに液体状態であるフレーバー素材を含む。
【００３６】
本発明のいくつかの実施形態の態様にしたがうと、カプセルのうちの少なくとも１つは、室温のときに気体状態であるフレーバー素材を含む。
【００３７】
本発明のいくつかの実施形態の態様にしたがうと、カプセルのうちの少なくとも１つにおけるフレーバー素材は、香り素材である。
【００３８】
本発明のいくつかの実施形態の態様にしたがうと、環境にフレーバーを放出する方法が提供される。方法は、以上で叙述したような、オプション的におよび好ましくは以下で詳しく述べるようなシステムに複数のカプセルを装填することを備え、それぞれはそこにフレーバー素材を含み、システムをアクティブ化し、カプセルのうちの少なくとも１つの中に含まれるフレーバー素材から取得した流体を供給することを含む。
【００３９】
本発明の方法のいくつかの実施形態の態様にしたがうと、環境は、リビングルーム、ベッドルーム、キッチン、トイレ、ホテルの部屋、ロビー、待合室、オフィス、レストラン、マッサージパーラー、および、車両からなる群から選択される。
【００４０】
そうではないと定義されていない限り、ここで使用される、すべての技術用語および／または科学用語は、本発明に係る当業者によって一般的に理解される意味と同一の意味を有する。本発明の実施形態を実施またはテストする際にここで説明するものと類似するまたは均等な方法および素材を使用できるが、例示的な方法および／または素材を以下で説明する。競合するケースでは、定義を含む特許明細書が制限するだろう。さらに、素材、方法、および、実施例は、実例にすぎず、必ずしも限定するように意図されてはいない。
【００４１】
添付の図面を参照して、単なる例として、本発明のいくつかの実施形態をここで説明する。図面への詳細な特定の参照とともに示す詳細は、例として、本発明の実施形態の例示的な議論の目的のものであることが強調される。これに関し、図面とともにされる説明は、本発明の実施形態がどのように実施されるかを当業者に明らかにする。
図面は、以下を記載している：
【図面の簡単な説明】
【００４２】
【図１Ａ】図１Ａは、本発明のいくつかの実施形態にしたがう、フレーバーを環境に放出するシステムの概略図である。
【図１Ｂ】図１Ｂは、本発明のいくつかの実施形態にしたがう、フレーバーを環境に放出するシステムのイメージである。
【図２】図２は、本発明のいくつかの実施形態にしたがう、フレーバーカプセルのパッケージの代表的な例を示すイメージである。
【図３Ａ】図３Ａは、それぞれの複数の個々のファンによって複数のカプセルから気体が流れる本発明の実施形態におけるシステムの概略図である。
【図３Ｂ】図３Ｂは、それぞれの複数の個々のファンによって複数のカプセルから気体が流れる本発明の実施形態におけるシステムの概略図である。
【図３Ｃ】図３Ｃは、それぞれの複数の個々のファンによって複数のカプセルから気体が流れる本発明の実施形態におけるシステムの概略図である。
【図３Ｄ】図３Ｄは、それぞれの複数の個々のファンによって複数のカプセルから気体が流れる本発明の実施形態におけるシステムの概略図である。
【図３Ｅ】図３Ｅは、それぞれの複数の個々のファンによって複数のカプセルから気体が流れる本発明の実施形態におけるシステムの概略図である。
【図３Ｆ】図３Ｆは、それぞれの複数の個々のファンによって複数のカプセルから気体が流れる本発明の実施形態におけるシステムの概略図である。
【図３Ｇ】図３Ｇは、それぞれの複数の個々のファンによって複数のカプセルから気体が流れる本発明の実施形態におけるシステムの概略図である。
【図３Ｈ】図３Ｈは、それぞれの複数の個々のファンによって複数のカプセルから気体が流れる本発明の実施形態におけるシステムの概略図である。
【本発明の特定の実施形態の説明】
【００４３】
本発明は、そのいくつかの実施形態において、流体の環境への放出に関し、排他的ではないがより具体的には、フレーバーを放出するためのシステムおよび方法に関する。
【００４４】
本発明の少なくとも１つの実施形態を詳細に説明する前に、本発明は、この出願において、以下の説明で述べる、ならびに／あるいは、図および／または例において説明する、構成の詳細および成分のアレンジメントおよび／または方法に必ずしも限定されないことを理解すべきである。本発明は、他の実施形態が可能であり、または、さまざまな方法で実施または実行することが可能である。
【００４５】
図面を参照すると、本発明のいくつかの実施形態にしたがう、図１Ａおよび１Ｂは、フレーバーを環境に放出するためのシステム１０の概略図（図１Ａ）およびイメージ（図１Ｂ）である。システム１０は、オプション的におよび好ましくは、バッテリーによっておよび／またはシステムをＤＣまたはＡＣ電源に接続することによってのいずれかで電気的に動作する。
【００４６】
システム１０は、好ましくは、１つ以上の区画１２、好ましくは複数の区画１２を備えている。図１Ａは、２つの区画を示し、図１Ｂは、４つの区画を示しているが、システム１０は、多数の、好ましくは４つ以上の区画を含むことができる。
【００４７】
区画のそれぞれは、その中にフレーバー素材１６を含むカプセル１４を収容するように適合されている。
【００４８】
図１Ａおよび１Ｂは、カプセルを上から区画によって収容する実施形態を示しているが、いくつかの用途では、側面からまたは下からカプセルを収容するように区画を構築することを望まれるかもしれないことから、必ずしもそうなるとは限らない。本実施形態は、１つの以上の区画が上からカプセルを収容し、１つの以上の区画が側面からカプセルを収容するコンフィギュレーションも企図している。
【００４９】
カプセル中のフレーバー素材は、典型的には、香り素材である。
【００５０】
ここで使用するように、「香り素材」は、１つ以上の付臭剤成分を備える任意の物質を指す。
【００５１】
ここで使用するように、「付臭剤成分」は、単分子の物質を指し、これは、嗅覚受容体によって感知することができ、人間では、匂いを有するものとして知覚される。本発明のいくつかの実施形態では、動物、昆虫、クモ、および、これらに類するものを含むがこれらに限定されない他の生命体においても、付臭剤成分は、匂いを有するものとして知覚される。
【００５２】
本実施形態の香り素材は、天然（すなわち、草花、ハーブ、葉、根、樹皮、木、果樹の花、または、植物の抽出により取得される）、人工（すなわち、異なる天然オイルまたはオイル成分の混合）、および、合成（すなわち、合成的に製造された）の匂いを放つ物質を含む。香り素材はまた、固定剤、増量剤、安定剤および溶剤のような補助素材を含んでいてもよい。
【００５３】
香り素材は、典型的には心地よいが、快適であるか不快であるかにかかわらず他の香り素材も企図される。
【００５４】
カプセルが香り素材を含むとき、システム１０は、環境中の臭気を緩和するために使用されることができる。システム１０が有益である環境の代表的な例は、リビングルーム、ベッドルーム、キッチン、トイレ、ホテルの部屋、ロビー、待合室、オフィス、レストラン、マッサージパーラー、車両（例えば車）、劇場、および、これらに類するものを含むが、これらに限定されない。
【００５５】
香り素材は、技術的に既知であり、臭気、アロマ、または、フレングランスに加えるのに適している、任意の天然物質、（アルデヒド、ケトン、エステル、および他の化学成分を組み込む）合成素材、または、これらの組み合わせであることがある。適切な天然および合成香り素材は、連邦規制基準の第２１章、セクション１７２．５１０および１７２．５１５それぞれにおいて米国食品医薬品局によって、および、ＩＦＲＡによって編集されたものを含む。適切な香り素材は、スパイスオイル、フラワーオイル、フルーツオイルを含む。香り素材は、例えば、ベンズアルデヒド、フェノール、桂皮アルデヒドおよびエステル、オクタジエン、ジエン、シクロヘキサジエン、テルペンならびに任意のアロマ成分のようなフレグランス成分を含んでいてもよい。
【００５６】
香り素材は、いくつかの実施形態では、水および／またはアルコールまたは他の有機溶剤のようなキャリア中のエッセンシャルオイル、または、香料を備えている。香り素材は、柑橘類、アーモンド、リンゴ、サクランボ、ブドウ、ナシ、パイナップル、オレンジ、ストロベリー、ラズベリー、およびムスクのような、フルーツおよびベリーの香りのもの；ラベンダー、ローズ、アイリス、カーネーション、クチナシ、ティーローズ、スミレ、ヒヤシンス、モクレン、ミモザ、スイカズラ、ジャスミン、スイセン、オレンジブロッサム、ラン、スイートピー、チュベローズ、およびライラックのような、花の香りのもの；常緑スギ、マツ、ササフラス、およびトウヒのような、森林およびハーブの匂いのもの；スパイス、ペパーミント、バニラ、スペアミントのようなエッセンシャルオイルのもの；ならびに、革、新車の臭気、アカシア、キンゴウカン、シプレ（cypre）、シクラメン、シダ、サンザシ、およびこれらに類するもののような、さまざまな他のフレグランスのものであってもよい。
【００５７】
本発明のいくつかの実施形態にしたがって香り素材が備えることができる有効成分の代表的な例は、1,3,4,6,7,8-ヘキサヒドロ-4,6,6,7,8,8-ヘキサメチル-シクロペンタ-2-ベンゾピラン、1,3,4,6,7,8-ヘキサヒドロ-4,6,6,7,8,8-ヘキサメチル-シクロペンタ-2-ベンゾピラン、7-メチル-3,4-ジヒドロ-2H1,5 ベンゾジオキセピン-3-オン、1,3,4,6,7,8-ヘキサヒドロ-4,6,6,7,8,8-ヘキサメチル-シクロペンタ-2-ベンゾピラン、1,3,4,6,7,8-ヘキサヒドロ-4,6,6,7,8,8-ヘキサメチル-シクロペンタ-2-ベンゾピラン、1,3,4,6,7,8-ヘキサヒドロ-4,6,6,7,8,8-ヘキサメチル-シクロペンタ-2-ベンゾピラン、酢酸cis-3-ヘキセニル、a-メチル-3,4-メチレンジオキシ ヒドロシンナムアルデヒド、cis-3-ヘキセン-1-オール、安息香酸, 2-ヒドロキシ-, 3-ヘキセニル エステル, (Z)-、2 アセトナフトン（Acetonaphtone）-1,2,3,4,5,6,7,8-オクタヒドロ-2,3,8,8-テトラメチル, 7-アセチル-1,1,3,4,4,6 ヘキサメチルテトラリン、メチル1-2,4-ジヒドロキシ-3,6-ジメチル-安息香酸、1-2,6,6-トリメチル（trimethy）-3-シクロヘキセン-1-yl- 2-ブテン-1-オン、e,e-8,10-ドデカジエン-1-オール、および、酢酸(z)-11-テトラデセニルに限定されないが、これらのような、アガンアロマ、イスラエルによって販売される香り素材を含むが、これらに限定されない。
【００５８】
本発明のいくつかの実施形態にしたがう香り素材が備えることができる成分のさらなる例は、アリルヘプタノエート、アネトールUSP、ベンズアルデヒド、酢酸ベンジル、酢酸cis-3-ヘキセニル、cis-ジャスモン、クマリン、ジヒドロミルセノール、酢酸ジメチルベンジルカルビニル、エチルバニリン、オイカリプトール、オイゲノール、イソオイゲノール、サルチル酸イソブチル、酢酸フロール、ゲラニオール、ヒドロキシシトロネラ―ル、コアヴォン、ジヒドロリナロール、リナロール、アントラニル酸メチル、メチルベータナフチルケトン、ジヒドロジャスモン酸メチル、ネロール、ノナラクトン、オレンジフラワーエーテル、酢酸フェニルエチル、フェニルエチルアルコール、フェニルプロピルアルコール、イソ酪酸フェノキシエチル、フェノキサノール、α-テルピネオール、テトラヒドロリナロール、β-テルピネオール、バニリン、およびこれらの混合物を含むがこれらに限定されない。
【００５９】
いくつかの実施形態において、香り素材は、付録ＡにリストアップされているＣＡＳ番号からなる群から選択されたＣＡＳ番号を有する１つ以上の物質を備えることができる。
【００６０】
フレーバー素材は、室温で、固体状態、または、液体状態、または、気体状態であることができる。典型的には、フレーバー素材は、室温で液体状態である。
【００６１】
いくつかの実施形態では、カプセルのうちの２つ以上、オプション的にまたは好ましくはすべてのカプセルは、異なるフレーバー素材を含み、いくつかの実施形態では、カプセルのうちの２つ以上は、同じフレーバー素材を含み、いくつかの実施形態では、カプセルのうちの２つ以上は、同じフレーバー素材を含むが、異なる濃度である。
【００６２】
本発明のいくつかの実施形態では、システム１０は、カプセル中の少なくとも１つのフレーバー素材から取得した流体を環境２０に供給するように構成されているディスペンサーシステム１８を備えている。ディスペンサーシステム１８は、各区画に対して１つである別々の供給要素として図１Ａ中に示されているが、いくつかの用途に対して、システム１８は、例えば単一のユニットとして設けることができることから、必ずしもそうなるとは限らない。
【００６３】
ディスペンサーシステム１８は、カプセル中のフレーバー素材から流体を取得することを可能にする任意のテクノロジーを用いることができる。
【００６４】
本発明のいくつかの実施形態において、システム１８は加熱することを用いる。これらの実施形態では、熱は、フレーバー分子の結合（例えば、付臭剤成分、または味覚改質剤）を壊すまたは励起する熱エネルギーをフレーバー素材に提供し、これらが流れることを可能にする。対流、放射または伝導によって熱を印加できる。本発明のいくつかの実施形態において、システム１８は、熱源、例えば、火炎ベースの熱源、または、より好ましくは、例えばフィラメント抵抗、電力抵抗またはコイルの形態の抵抗熱源を備えている。本発明のいくつかの実施形態において、システム１８は、素材を加熱する波長でフレーバー素材に放射を向ける光源を備えている。例えば、光源は、赤外線放射を印加することができる。
【００６５】
本発明のいくつかの実施形態において、システム１８は、超音波をフレーバー素材に印加する。超音波は、フレーバー素材にフレーバー分子の結合（例えば、付臭剤成分、または味覚改質剤）を壊すまたは励起する機械的エネルギー（例えば、振動）を提供し、これらが流れることを可能にする。
【００６６】
本発明のいくつかの実施形態において、システム１８は、フレーバー素材を霧化する。
【００６７】
ここで使用するように「霧化する」および「噴霧」は、液体媒体のスプレーまたはミスト（すなわち、液滴の群）への変換を指す。噴霧は、ノズルまたはアパーチャを通して液体媒体を通過することによって生じることができる。用語「霧化する」および「噴霧」は、スプレーまたはミストあるいはこれらからの粒子が原子サイズに縮小されるということを必ずしも意味するものではない。液体媒体を霧化することは、噴霧器の使用によって達成できる。米国のミネソタ州ショアビューのＴＳＩ社からのもののような噴霧器が知られており、市販されている。
【００６８】
本発明のいくつかの実施形態において、システム１８は、フレーバー素材によって近くの空気を加湿する。
【００６９】
用語「加湿すること」および「加湿」は、気体に蒸気を加えるプロセスを指す。
【００７０】
加湿は加湿器により達成できる。加湿器は、それ自体が知られており、暖気タイプまたは冷気タイプのものであることがある。暖気タイプの加湿器は、霧吹きまたは温ミスト生成器のいずれかを使用して、フレーバー素材を加熱し、フレーバー蒸気を空気に加える。冷気タイプの加湿器は、例えば、ファン、ブロワー、回転板または超音波によって、機械的に蒸気を生成する。
【００７１】
システム１８は、フレーバー素材から取得した流体をカプセルから離れて移動させる気体流（例えば、空気流）も生成できる。技術的に知られているように、これは、ファンまたはブロワーによって行うことができる。上記の技術のうちの１つ以上によって、ファンまたはブロワーによる気体流の生成を補足できる。代替的に、例えば、冷気タイプの加湿の原理にしたがうと、システム１８は、加熱することなく、霧化することなく、および、超音波を印加することなく、ファンまたはブロワーを用いることができる。
【００７２】
システム１８は、例えば、カプセル１４の上面１４ａを通して、流体を環境に直接放出できる。これらの実施形態において、上面１４ａは、好ましくは、環境にさらされ、フレーバー素材自体ではないが、フレーバー素材から形成された流体を透過させる。これらの実施形態は、フレーバー素材が個体形状であるとき、または、取得した流体の分子が実質的にフレーバー素材の分子よりもより小さいとき、有益である。
【００７３】
代替的に、システム１８は、流体が放出される１つ以上の流体チャネル２２を備えることができる。流体チャネルのうちの１つ以上は、環境２０への開口２４を有することができ、特定のカプセルにおけるフレーバー素材から取得した流体、または、いくつかのカプセルにおけるフレーバー素材から取得した流体は、開口２４を通して放出されることができる。
【００７４】
本発明のいくつかの実施形態において、区画１２は、カプセルを穿孔し、流体チャネル２２との流体連結を確立する（ノズルまたは中空針のような）穿孔部材２６を含む。穿孔部材２６は、図１Ａ中に図示するように、区画１２のベースから内側に突出するように位置付けられることができる。代替的に、穿孔部材２６は、区画１２の側壁から内側に突出することができる。区画が上からではないカプセルを収容するとき、穿孔部材２６は、区画の（示していない）頂面から内側に突出することができる。いくつかの、例えば、区画のベースにおいて１つ以上の、および／または、区画の側壁において１つ以上の穿孔部材が用いられる実施形態も企図される。
【００７５】
カプセルが穿孔される場合、いったんそれぞれの区画に収められると、穿孔部材は静的であることがある。例えば、静的穿孔部材が区画のベースから外側に突出するとき、オペレータは、カプセルの上面１４ａを都合よく押し、穿孔を達成することができる。穿孔部材は、代替的に穿孔が達成される区画の内面（ベース、側壁、上面）に垂直に移動可能である。穿孔部材が内側に移動するとき、カプセルの穿孔が達成される。いったんカプセルが穿孔されると、穿孔部材を後方に引っ込めることができる。穿孔部材の内側および後方への動きは、以下さらに詳述するように、制御装置によって、または、例えば、（示していない）レバーまたはボタンによって手動で確立できる。
【００７６】
いったんカプセルが穿孔されると、フレーバー素材から取得した流体は、形成された穿孔を通してカプセルからチャネル２２に、その後、チャネル２２から環境２０に流れる。代替的に、流体は、カプセルから混合チャンバ３０に、その後、混合チャンバから環境に流れることがある。混合チャンバ３０から環境への流れは、環境に対するチャンバ３０の増加した気体の圧力によって、または、ディスペンサーシステム１８によって動作されるファンまたはブロワーによって達成することができる。
【００７７】
本発明のさまざまな例示的な実施形態において、システム１０は、供給プロトコルを自動的に選択するように、および、ディスペンサーシステム１８に信号を送信して、区画の１つ以上のカプセル中に含まれる１つ以上のフレーバー素材から取得した流体を供給するように構成されている制御装置２８を備えている。
【００７８】
供給プロトコルは、オプション的におよび好ましくは、供給プロセスを特徴付ける、１つ以上のパラメータ、好ましくは、パラメータのセットを含んでいる。例えば、供給プロトコルは、それぞれの２つ以上のカプセルにおけるそれぞれの２つ以上のフレーバー素材から供給される２つ以上の流体間の混合比に関係する１つ以上のパラメータを含むことができる。供給プロトコルは、各供給アクティビティにおいて供給される流体の量に関係する１つ以上のパラメータを含むことができる。供給プロトコルは、１つ以上の流体が供給されるカプセルを保持する１つ以上の区画の識別に関係する１つ以上のパラメータを含むことができる。供給プロトコルは、供給イベント間の間隔、各供給イベントの期間、および／または、供給が生じる時刻を含むがこれらに限定されない、供給タイミングに関係する１つ以上のパラメータを含むことができる。
【００７９】
本発明のさまざまな例示的な実施形態において、制御装置２８は、供給プロトコル選択と信号の送信を自動的に再実行する。好ましくは、再実行は、シャッフルプロトコルにしたがう。例えば、制御装置２８は、区画を選択でき、ディスペンサーシステム１８に信号を送信して選択した区画のカプセル中に含まれるフレーバー素材から選択した流体を予め定められた時間期間の間供給し、その後、別の区画を選択し、ディスペンサーシステム１８に信号を送信して新たに選択した区画のカプセル中に含まれるフレーバー素材から取得した流体を同じまたは異なる時間期間等の間供給する。別の例では、制御装置２８は、それぞれ２つ以上のカプセル中に含まれるそれぞれの２つ以上のフレーバー素材から２つ以上の流体間の第１の混合比を選択することができ、ディスペンサーシステム１８に信号を送信して選択した混合比にしたがうそれぞれの流体を供給し、別の混合比を選択し、ディスペンサーシステム１８に信号を送信して新たに選択した混合比等にしたがうそれぞれの流体を供給する。
【００８０】
制御装置２８によって適用されるシャッフルプロトコルは、区画を選択する確率、混合比を選択する確率、供給される流体の量を選択する確率、流体を供給する時間期間を選択する確率、および／または、（典型的に流体を供給する時間期間と同じであるが、必ずしもそうではない）連続する選択間の時間期間を選択する確率を含むことができる。代替的に、および、より具体的には、シャッフルプロトコルが供給プロトコルを選択する確率を含むのに十分である場合、制御装置２８は、いくつかの供給プロトコルのリストから供給プロトコルを選択できる。
【００８１】
選択は、予め定められた統計的分布にしたがってランダムであることがある。統計的分布は、任意のタイプのものであることがある。本発明のいくつかの実施形態において、すべての供給プロトコルが等しい確率を有する均一な統計的部分布が選択されることになる。本発明のいくつかの実施形態において、バイアスがかけられている統計的分布が用いられ、いくつかの供給プロトコルは、他の供給プロトコルよりもより高い選択されるべき確率を有している。これは、例えば、異なる重量値を２つ以上の供給プロトコルに割り当てることにより達成でき、より高い重量値を有する供給プロトコルは、より低い重量値を有する供給プロトコルよりも、より高い選択されるべき確率を有している。バイアスをかけることは、予め定められた基準または基準のセットにしたがうことがある。例えば、フレーバー素材をカテゴリ（例えば、フローラルフレーバー、ウッディフレーバー、フレッシュフレーバー、オリエンタルフレーバー等）にカテゴリ化することができ、基準または基準のセットは、他のカテゴリと比較して１つ以上のカテゴリを優先付けされるものであることがあり、優先付けすることは、優先付けされたカテゴリの部材を選択する確率が非優先カテゴリの部材を選択する確率よりも高いことを確実にすることによって達成される。
【００８２】
シャッフリングプロトコルは、代替的にまたは追加的に、１つ以上のパラメータを個別に変化させるように適用できる。例えば、制御装置２８は、流体が供給される区画間でシャッフルすることを、および／または、より高い供給レートを有する供給アクティビティとより低い供給レートを有する供給アクティビティとの間でシャッフルすることを、および／または、より長い期間を有する供給アクティビティとより短い期間を有する供給アクティビティとの間でシャッフルすることを、および／または、供給イベント間により長い停止を有する供給アクティビティと供給イベント間により短い停止を有する供給アクティビティとの間でシャッフルすること等を実行することができる。
【００８３】
本発明のいくつかの実施形態において、制御装置２８は、コンテナ中のカプセルの内容物に関係する情報を抽出するように構成されている。情報は、例えば、以下でさらに詳細に説明するように、カプセルに識別タグを提供することによって抽出できる。
【００８４】
抽出された情報は、例えば、フレーバーのタイプおよび／またはフレーバーカテゴリを含むことができ、対応するフレーバーは、部材、（例えば、ヴェーバーフェヒナーの法則にしたがってスケーリングされる）フレーバーによって生成される香りの強度等である。抽出した情報は、供給プロトコルを選択するように制御装置２８によって使用されることができ、例えば、確率にバイアスをかけることにより、これらの供給プロトコルによって用いられる区画にしたがう、および、抽出した情報に基づいて、例えば、上記でさらに説明したようなバイアスをかけた統計的分布を使用して、供給プロトコルを選択する。抽出した情報は、自動的にシャッフルプロトコルを選択するために代替的または追加的に使用できる。
【００８５】
例えば、制御装置２８は、シャッフルプロトコルの集合を記憶しているコンピュータ読取可読媒体にアクセスし、情報に基づいて、実行のためのシャッフルプロトコルを選択できる。例えば、現在システム１０に装着されているカプセルが特定のカテゴリのフレーバーを含むことを抽出した情報が示すとき、制御装置２８は、これらのカテゴリに特に適合されているシャッフルプロトコルを選択できる。
【００８６】
制御装置２８は、同時に２つの以上のカプセルから取得した流体の放出をもたらすことができる。これは、異なる供給要素の同時のアクティブ化によって、または、これらの放出より前に混合チャンバにおいて流体を混合することを可能にすることにより、達成できる。
【００８７】
１つより多くの流体を放出する能力に対していくつかの利点がある。例えば、環境中に既に存在する臭気を制御するために、１つの選択された区画は、フレグランスを有するカプセルを含むことができ、別の区画は、臭気中和素材を有するカプセルを含むことができる。フレグランスと臭気中和素材に依存して、区画を選択できる。別の利点は、１つより多くの区画を選択することは、オペレータがユーザの希望にしたがったフレーバーの組み合わせをシステム１０に放出させることを可能にできることである。更なる利点は、１つより多くの区画を選択することは、システム１０によって供給できるフレーバーの種類と範囲（spectrum）を大幅に増加できることである。
【００８８】
ディスペンサーシステム１８が複数の供給要素を備えるとき、制御装置２８は、オプション的にまたは好ましくは、供給要素のそれぞれに独立して信号を送信する。
【００８９】
システム１０が混合チャンバ３０を備えるとき、制御装置２８は、オプション的におよび好ましくは、選択した区画から混合チャンバ３０への流体チャネルを少なくとも一時的に開く。チャネル２２のうちの１つ以上に制御装置２８によって制御される弁３４を設けることによって、これを達成できる。各個々のカプセル１４からそれぞれのチャネル２２への香り素材の流れが、制御装置２８によって独立して制御されるファンまたはブロワーによる実施形態も企図される。これらの実施形態では、それぞれのカプセル中の香り間の混合比は、それぞれのファンの回転スピードを制御することによって設定できる。
【００９０】
システム１０が可動穿孔部材２６を備えるとき、制御装置２８は、穿孔部材２６の動作も制御できる。例えば、カプセルの区画うちの１つへの装填の間、穿孔部材は、後退状態であることができる（すなわち、区画の内部に関して内側に突出しない）。
【００９１】
いったん２つ以上区画の選択に関係するデータが制御装置２８によって受信され、システム１０が動作中であると、制御装置２８は、それぞれのカプセルを穿孔するように、選択した区画の穿孔部材のみに信号を送信でき、それにより、選択した区画中のカプセルから取得した流体のみが最終的に環境に放出されることを確実にする。
【００９２】
代替的に、すべてのカプセルを穿孔でき、環境への特定の流体の放出に関する制御は、制御弁３４および／またはそれぞれの供給要素が動作可能であるか否かによって達成できる。
【００９３】
本発明のいくつかの実施形態において、制御装置２８はまた、混合比に関係するデータを受信し、受信した混合比に応答して異なるフレーバー素材から取得した流体の量を制御する。制御装置２８は、オプション的におよび好ましくは、シャッフルを混合比自体に適用できる。これは、好ましくは、いくつかの固定混合比間でシャッフルすることによって行われる。代替的に、混合比シャッフルは、異なるフレーバー素材から取得した流体の量を独立して変化させることによって達成できる。
【００９４】
（直接または流体チャネル２２を介してまたは混合チャンバ３０を介してのいずれかで）最終的に環境中に放出される特定の流体の量に関する制御は、１つより多くの方法で達成できる。
【００９５】
例えば、本発明のいくつかの実施形態において、タイミングプロトコルによって選択が実行され、特定の流体が流れることが可能な時間は、混合比に基づいて選択される。例えば、第１のカプセルからのフレーバーと第２のカプセルからのフレーバーを２：１の比で混合することが望まれるとき、第１のカプセルからの流体は、ある時間間隔Δｔの間流れることを可能にでき、第２のカプセルは、半分の間隔Δｔの間流れることを可能にできる。したがって、これらの実施形態において、制御装置２８は、タイミングプロトコルを変化させることによって混合比シャッフルを適用できる。
【００９６】
本発明の実施形態において、各個々のカプセル１４からの香り素材のそれぞれのチャネル２２への流れは、制御装置２８によって独立して制御されるファンまたはブロワーによるものであり、それぞれのカプセル中の香り間の混合比は、それぞれのファンの回転スピードを制御することにより設定できる。例えば、第１のカプセルからのフレーバーと第２のカプセルからのフレーバーを２：１の比で混合することが望まれるとき、第１のカプセルからの流れを生成するファンまたはブロワーは、第２のカプセルからのフローを生成するファンまたはブロワーの回転スピードよりも高い（例えば、２倍高い）回転スピードで回転できる。したがって、これらの実施形態では、制御装置２８は、ファンの回転速度を変化させることにより混合比シャッフルを適用できる。
【００９７】
本発明のいくつかの実施形態において、システム１０は、各カプセルの重量を別個に測定するように構成されている重量測定デバイス３６を備えている。この実施形態は、例えば、オペレータに通知を提供する目的で、各カプセル中に残るフレーバー素材の量を決定するために有益である。
【００９８】
オプション的に、システム１０は、ディスプレイ３８を備え、制御装置２８は、デバイス３６からの重量データを受信し、ディスプレイ３８を制御して情報をオペレータに提示する。情報は、バッテリー寿命、カプセル交換に関係付けられている期間または他の適切なインジケータ、混合比、香りの濃度、および、これらに類するものを含んでいてもよい。上記で提供した情報のリストは、網羅的ではないが、むしろ、システム１０の所望の動作をアセスするおよび／または管理する際にユーザが有用であると見出すかもしれないさまざまなパラメータを表している。ディスプレイ３８は、ＬＣＤまたはＬＥＤディスプレイまたはデバイスの動作に関係付けられている１つ以上のパラメータを表示することが可能な他の適切なディスプレイであってもよい。
【００９９】
重量データは、流体間の混合比を管理するために、制御装置２８によって使用されることもできる。各カプセルの重量の変化に基づいて、制御装置は、それぞれのカプセルから取得している流体の量を予め決定でき、したがって、比を管理するようにそれぞれの流体の流れを制御できる。
【０１００】
システム１０は、好ましくは、ユーザインターフェース４０を備えている。ユーザインターフェースはボタンを含んでいてもよく、これは、押すことによってアクティブ化され、各ボタンの特定の機能に依存して、異なる形状をとってもよい。ユーザインターフェースは、低バッテリーまたは特定のカプセル中のフレーバー素材の低レベルのような動作的ステータス情報を示すためのＬＥＤも含んでいてもよい。ユーザインターフェースは、タッチスクリーンまたはキーボードも含んでいてもよい。ユーザインターフェースは、音声アクティブ化インターフェースであってもよい。
【０１０１】
ユーザインターフェースは、オペレータによって好まれる方法で流体の放出をオペレータがプログラムすることを可能にすることができる。例えば、ユーザインターフェースは、例えば、供給の日数、各供給のアクティビティの量、供給に関係付けられている日の時間、供給の期間等を選ぶことにより、ユーザが供給のスピードをプログラムすることを可能にしてもよい。より速い供給のレートでより短い期間を選択することと、より遅い供給のレートでより長い期間選択することとは、類似した香り期間と濃度プロフィールを生成できることが理解される。
【０１０２】
ユーザインターフェースは、日中設定、オンとオフの時間、およびこれらに類するものに限定されないが、これらのようなシステム１０の他の機能をユーザがプログラムすることも可能にできる。本発明のさまざまな例示的実施形態では、ユーザインターフェースは、オペレータがシステム１０またはその任意の成分を別々にアクティブ化および／または非アクティブ化し、カプセルのうちのどれがアクティブであるかを示す選択データを入れること、および／または、混合比を入れることを可能にする。ユーザインターフェース４０は、システム１０の封入４２上に据え付けることができる。
【０１０３】
インターフェースユーザ４０は、シャッフルプロトコルが用いられる動作のモードとシャッフルすることなく供給が実行される動作のモードとの間でオペレータが選択することを可能にすることもできる。ユーザインターフェース４０は、オペレータがシャッフルプロトコルを選択することを可能にできる。例えば、ユーザインターフェース４０は、利用可能なシャッフルプロトコルのリスト（例えば、ドロップダウンメニュー）をオペレータに提示でき、制御装置２８は、オペレータによって選択されたシャッフルプロトコルを適用できる。ユーザインターフェース４０は、追加的または代替的に、オペレータがシャッフルプロトコルに対するパラメータを選択することを可能にできる。このようなパラメータは、区画選択確率、混合比選択確率、流体を供給するための時間期間、連続した選択間の時間間隔、およびこれらに類するものを含んでいてもよいが、これらに限定されない。
【０１０４】
いくつかの実施形態では、システム１０は、遠隔でアクティブ化される。これらの実施形態では、システム１０は、遠隔ユーザインターフェース４６と通信するように構成されている通信システム４４を備えている。例えば、ユーザインターフェース４６は、スマートホーム制御システムであることがあり、制御装置２８は、通信システム４４を介して、システム１０の状態に関係する信号をスマートホーム制御システムに送信し、アクティブ化および／または非アクティブ化信号、選択データを伝える信号、混合比を伝える信号、および、これらに類するものを含むことができる制御信号をスマートホーム制御システムから受信できる。インターフェース４６と通信システム４４との間の通信は、近距離ワイヤレス通信技術を介したものであることがある。
【０１０５】
これに対応して、インターフェース４６は、Ｂｌｕｅｔｏｏｔｈ（登録商標）、Ｚ−ｗａｖｅ、ＺｉｇＢｅｅ、または、ＷＩＦＩ通信機能が設けられた、移動体電話機、タブレットコンピュータ、およびノートブックコンピュータからなる群から選択できる。通信は、インターネット、ＧＰＲＳ、ＧＳＭ（登録商標）、ＣＤＭＡ、３Ｇ、または４Ｇ通信テクノロジーを介したものであることがある。これに対応して、インターフェース４６は、インターネットに接続できるコンピュータであることがあり、または、ＧＰＲＳ、ＧＳＭ、ＣＤＭＡ、３Ｇ、または４Ｇ通信機能が設けられた移動体電話機であってもよい。通信は、ユーザに権限を与えて、家庭またオフィスまたは他の動作の場所で雰囲気に影響を与えるまたは最適化する他のソリューションと香りを組み合わせてもよい。他のこのような雰囲気のエフェクターは、温度、音楽またはノイズ、警報システム、湿度、照明等を変更するシステムであってもよい。
【０１０６】
システム１０は、典型的には、必ずしもそうではないが、約４平方メートルから約２５平方メートルのエリアと約２メートルから約５メートルの高さを有する任意の環境に、知覚できる香りを提供できる。各カプセルの動作の期間は、オプション的におよび好ましくは、約２時間から約２４時間である。カプセルは、使い捨てであることが好ましい。各カプセル中フレーバー素材の体積は、約２ミリリットルから約１０ミリリットルであることがある。他のサイズと期間は、本発明の範囲から除外されない。カプセルは、システム１０とは別に消費者に提供できる。例えば、いくつかのカプセルのパッケージを販売でき、各パッケージは、同じまたは異なるフレーバー素材を含むカプセルを含むことができる。図２は、このようなパッケージングの代表的な例を示すイメージであり、各パッケージは、同じフレーバーの４つのカプセルを含んでいる。他のパッケージ形態も企図される。
【０１０７】
図３Ａ−Ｈを参照すると、これらは、気体がカプセルから下方に流れる本発明の実施形態におけるシステム１０の概略図である。図３Ａは、区画１２、開口２４、およびシステム１０のさまざまな成分を含むケーシング５２を示す、システム１０の斜視図である。図３Ｂは、以下で説明する図３Ｇおよび３Ｈでより良く図示するベースアセンブリ５４に接続されている区画１２を示す、ケーシング５２のないシステム１０の斜視図である。
【０１０８】
図３Ｃおよび３Ｄは、サイズに関しておよび形状に関して区画１２と互換性のあるカプセル１４の２つの異なる斜視図を図示している。カプセル１４は、その上部面１４ａにおける入口グリッドとその底面１４Ｂにおける出口グリッドとともに形成される。動作する際、環境からの空気は、上部面１４ａにおけるグリッドを通してカプセル１４に入り、香り素材は、底面部１４ｂにおけるグリッドを通してカプセル１４を出る。
【０１０９】
図３Ｅおよび３Ｆは、区画１２の上面図（図３Ｅ）および斜視図（図３Ｆ）である。これらの実施形態において、区画１２は、その上面１２ａにおいて開いており、区画１２がカプセル１４を収容し、その底側１２ｂにグリッドを有することを可能にする。動作の際に、底面１４ｂにおけるグリッドを通してカプセル１４を出る香り素材は、区画１２の底面１２ｂのようなグリッドを通過する。
【０１１０】
本発明のいくつかの実施形態において、カプセル１４は、識別タグ５６を備えている。識別タグ５６は、カプセルの真正性、カプセル中の香り素材のタイプおよび／または濃度、カプセル中の香り素材の量、カプセルが動作可能であった経過した時間期間等を含むがこれらに限定されない、カプセルの少なくとも１つの特性に関係する識別を提供する。識別タグ５６は、バーコード（例えばＱＲタグ）、ＲＦＩＤおよびＲＴＬＳのような技術的に既知である任意の機械読取可能タイプのものであることがあるが、これらに限定されない。
【０１１１】
カプセル１４が識別タグを備える実施形態では、区画１２のうちの１つ以上は、オプション的に、識別タグからデータを読み取るように構成されているタグ読取回路５８を備えている。タグ読取回路５８によって取得したデータは、オプション的におよび好ましくは、データに基づいてシステム１０を動作できる制御装置２８に送信されることができる。例えば、カプセルが真正でないとデータが示すとき、制御装置は、システム１０の動作を停止することができ、データが香り素材のタイプを含むとき、制御装置は、選択したプロトコルおよび識別した香り素材のタイプに基づいて、システム１０を動作できる。
【０１１２】
図３Ｇおよび３Ｈは、本発明のいくつかの実施形態にしたがう、ベースアセンブリ５４の斜視図（図３Ｇ）および断面図（図３Ｈ）を図示している。ベースアセンブリは、保持フレーム６０に収められた１つ以上のファンまたはブロワーを備えている。表示の明確化のために、ファン自体は図３Ｇ中の図示されていない。ベースアセンブリ５４はまた、それぞれのファンの出口にそれぞれ位置付けられている流体チャネル２２も備えている。ファンまたはブロワーは、保持フレーム６０上に据え付けられ、区画の底１２ｂにおけるグリッドを通して流体チャネル２２への、カプセルの底１４ｂにおけるグリッドからの香り素材の流れを生成する方向に回転する。個々の区画１２からの香りは、チャネル２２によって、混合チャンバ３０として機能する出口流体チャネルに誘導される。図３Ｇおよび３Ｈの代表図において、出口流体チャネル３０は、先細形状（例えば、円錐形状）を有するが、出口流体チャネル３０が非先細形状を有することがあることから、必ずしもそうである必要はない。出口流体チャネル３０から、混合した香りは、開口２４を介してシステム１０を出る。
【付録Ａ】
【０１１３】
いくつかの実施形態において、香り素材は、56-81-5, 59-02-9, 60-12-8, 60-33-3, 60-33-3, 64-17-5, 66-25-1, 71-23-8, 71-36-3, 71-41-0, 74-93-1, 75-18-3, 75-65-0, 76-09-5, 76-22-2, 76-49-3, 76-50-6, 77-42-9, 77-52-1, 77-53-2, 77-54-3, 77-70-3, 77-83-8, 77-90-7, 78-35-3, 78-36-4, 78-37-5, 78-69-3, 78-70-6, 78-84-2, 78-92-2, 79-20-9, 79-31-2, 79-42-5, 79-69-6, 79-70-9, 79-76-5, 79-77-6, 79-78-7, 79-89-0, 79-92-5, 80-25-1, 80-26-2, 80-27-3, 80-54-6, 80-56-8, 80-57-9, 80-59-1, 80-71-7, 81-14-1, 83-34-1, 84-66-2, 85-91-6, 86-26-0, 87-19-4, 87-20-7, 87-22-9, 87-25-2, 87-41-2, 87-44-5, 87-55-8, 87-91-2, 88-09-5, 88-15-3, 88-40-4, 88-41-5, 88-60-8, 88-69-7, 88-84-6, 89-43-0, 89-48-5, 89-65-6, 89-71-4, 89-74-7, 89-78-1, 89-79-2, 89-80-5, 89-81-6, 89-82-7, 89-83-8, 89-88-3, 90-00-6, 90-02-8, 90-05-1, 90-12-0, 90-17-5, 90-42-6, 90-43-7, 90-87-9, 91-01-0, 91-10-1, 91-16-7, 91-20-3, 91-50-9, 91-51-0, 91-57-6, 91-61-2, 91-62-3, 91-63-4, 91-64-5, 91-87-2, 92-68-2, 93-04-9, 93-08-3, 93-15-2, 93-16-3, 93-18-5, 93-19-6, 93-28-7, 93-29-8, 93-51-6, 93-53-8, 93-54-9, 93-55-0, 93-58-3, 93-60-7, 93-89-0, 93-91-4, 93-92-5, 94-02-0, 94-08-6, 94-26-8, 94-30-4, 94-46-2, 94-47-3, 94-48-4, 94-50-8, 94-62-2, 94-86-0, 95-13-6, 95-16-9, 95-21-6, 95-41-0, 95-65-8, 95-87-4, 95-92-1, 96-04-8, 96-17-3, 96-22-0, 96-48-0, 97-41-6, 97-42-7, 97-45-0, 97-53-0, 97-54-1, 97-61-0, 97-62-1, 97-64-3, 97-85-8, 97-87-0, 97-89-2, 97-95-0, 97-99-4, 98-01-1, 98-02-2, 98-51-1, 98-52-2, 98-53-3, 98-55-5, 98-85-1, 98-86-2, 98-89-5, 99-48-9, 99-49-0, 99-72-9, 99-75-2, 99-83-2, 99-85-4, 99-86-5, 99-87-6, 99-89-8, 100-06-1, 100-41-4, 100-47-0, 100-51-6, 100-52-7, 100-66-3, 100-86-7, 101-39-3, 101-41-7, 101-48-4, 101-49-5, 101-81-5, 101-84-8, 101-85-9, 101-86-0, 101-86-0, 101-94-0, 101-97-3, 102-04-5, 102-13-6, 102-16-9, 102-17-0, 102-19-2, 102-20-5, 102-22-7, 103-05-9, 103-07-1, 103-09-3, 103-13-9, 103-23-1, 103-25-3, 103-26-4, 103-28-6, 103-29-7, 103-36-6, 103-37-7, 103-38-8, 103-41-3, 103-45-7, 103-48-0, 103-50-4, 103-52-6, 103-53-7, 103-54-8, 103-56-0, 103-58-2, 103-59-3, 103-60-6, 103-61-7, 103-82-2, 103-93-5, 103-95-7, 104-09-6, 104-20-1, 104-21-2, 104-45-0, 104-46-1, 104-50-7, 104-53-0, 104-54-1, 104-55-2, 104-57-4, 104-61-0, 104-62-1, 104-64-3, 104-65-4, 104-67-6, 104-76-7, 104-87-0, 104-93-8, 105-01-1, 105-13-5, 105-21-5, 105-37-3, 105-45-3, 105-53-3, 105-54-4, 105-57-7, 105-66-8, 105-67-9, 105-68-0, 105-70-4, 105-79-3, 105-82-8, 105-85-1, 105-86-2, 105-87-3, 105-89-5, 105-90-8, 105-91-9, 105-95-3, 106-02-5, 106-18-3, 106-21-8, 106-22-9, 106-23-0, 106-24-1, 106-25-2, 106-26-3, 106-27-4, 106-28-5, 106-29-6, 106-30-9, 106-32-1, 106-33-2, 106-35-4, 106-36-5, 106-44-5, 106-65-0, 106-68-3, 106-70-7, 106-72-9, 106-73-0, 106-79-6, 107-03-9, 107-54-0, 107-74-4, 107-75-5, 107-86-8, 107-87-9, 107-92-6, 107-98-2, 108-10-1, 108-11-2, 108-22-5, 108-29-2, 108-47-4, 108-48-5, 108-50-9, 108-64-5, 108-67-8, 108-68-9, 108-82-7, 108-83-8, 108-84-9, 108-93-0, 109-08-0, 109-15-9, 109-19-3, 109-20-6, 109-21-7, 109-25-1, 109-29-5, 109-29-5, 109-42-2, 109-43-3, 109-49-9, 109-52-4, 109-60-4, 109-94-4, 110-13-4, 110-19-0, 110-34-9, 110-36-1, 110-38-3, 110-39-4, 110-40-7, 110-41-8, 110-42-9, 110-43-0, 110-45-2, 110-62-3, 110-74-7, 110-89-4, 110-93-0, 110-98-5, 111-06-8, 111-11-5, 111-12-6, 111-13-7, 111-14-8, 111-27-3, 111-28-4, 111-30-8, 111-61-5, 111-62-6, 111-70-6, 111-71-7, 111-77-3, 111-79-5, 111-80-8, 111-81-9, 111-82-0, 111-84-2, 111-87-5, 112-05-0, 112-06-1, 112-12-9, 112-14-1, 112-17-4, 112-19-6, 112-23-2, 112-30-1, 112-31-2, 112-32-3, 112-37-8, 112-38-9, 112-39-0, 112-40-3, 112-42-5, 112-43-6, 112-44-7, 112-45-8, 112-45-8, 112-53-8, 112-54-9, 112-61-8, 112-62-9, 112-63-0, 112-66-3, 112-70-9, 112-72-1, 112-95-8, 115-18-4, 115-71-9, 115-95-7, 115-99-1, 116-02-9, 116-26-7, 116-53-0, 117-98-6, 118-58-1, 118-60-5, 118-61-6, 118-71-8, 118-93-4, 119-36-8, 119-53-9, 119-61-9, 120-11-6, 120-14-9, 120-24-1, 120-45-6, 120-50-3, 120-51-4, 120-57-0, 120-72-9, 120-92-3, 120-93-4, 121-32-4, 121-33-5, 121-34-6, 121-39-1, 121-97-1, 121-98-2, 122-00-9, 122-03-2, 122-27-0, 122-40-7, 122-43-0, 122-44-1, 122-45-2, 122-46-3, 122-48-5, 122-62-3, 122-63-4, 122-67-8, 122-68-9, 122-69-0, 122-70-3, 122-71-4, 122-72-5, 122-73-6, 122-74-7, 122-78-1, 122-78-1, 122-84-9, 122-91-8, 122-97-4, 122-99-6, 123-05-7, 123-07-9, 123-08-0, 123-11-5, 123-15-9, 123-17-1, 123-18-2, 123-19-3, 123-25-1, 123-29-5, 123-32-0, 123-35-3, 123-51-3, 123-66-0, 123-68-2, 123-69-3, 123-72-8, 123-76-2, 123-86-4, 123-94-4, 123-95-5, 123-96-6, 124-06-1, 124-07-2, 124-10-7, 124-12-9, 124-13-0, 124-18-5, 124-19-6, 124-25-4, 124-76-5, 125-12-2, 126-14-7, 126-64-7, 126-90-9, 126-91-0, 127-25-3, 127-41-3, 127-42-4, 127-42-4, 127-42-4, 127-43-5, 127-51-5, 127-51-5, 127-51-5, 127-51-5, 127-51-5, 127-91-3, 128-37-0, 128-50-7, 128-51-8, 131-11-3, 133-18-6, 134-20-3, 134-28-1, 134-96-3, 135-02-4, 135-79-5, 136-60-7, 137-00-8, 137-03-1, 137-32-6, 138-22-7, 138-23-8, 138-86-3, 138-87-4, 139-45-7, 139-70-8, 140-10-3, 140-11-4, 140-25-0, 140-26-1, 140-27-2, 140-39-6, 140-67-0, 141-03-7, 141-06-0, 141-09-3, 141-11-7, 141-12-8, 141-13-9, 141-14-0, 141-15-1, 141-16-2, 141-25-3, 141-26-4, 141-27-5, 141-28-6, 141-78-6, 141-79-7, 141-92-4, 141-97-9, 142-09-6, 142-19-8, 142-50-7, 142-60-9, 142-62-1, 142-91-6, 142-92-7, 143-07-7, 143-08-8, 143-13-5, 143-14-6, 144-39-8, 150-78-7, 150-84-5, 150-86-7, 151-05-3, 151-10-0, 151-19-9, 156-06-9, 286-99-7, 301-00-8, 326-61-4, 334-48-5, 350-03-8, 409-02-9, 432-24-6, 432-25-7, 459-80-3, 463-40-1, 464-43-7, 464-45-9, 464-48-2, 464-49-3, 469-61-4, 470-67-7, 470-82-6, 470-99-5, 472-64-0, 472-66-2, 472-78-6, 472-97-9, 473-03-0, 473-54-1, 473-55-2, 473-67-6, 475-03-6, 475-20-7, 488-10-8, 488-97-1, 489-40-7, 489-84-9, 489-86-1, 490-03-9, 490-99-3, 491-01-0, 491-02-1, 491-07-6, 491-09-8, 491-35-0, 494-90-6, 495-40-9, 495-61-4, 495-62-5, 495-76-1, 497-03-0, 498-00-0, 498-02-2, 498-16-8, 498-81-7, 499-44-5, 499-54-7, 499-69-4, 499-70-7, 499-75-2, 500-02-7, 501-52-0, 502-26-1, 502-47-6, 502-61-4, 502-69-2, 502-72-7, 502-99-8, 503-74-2, 505-32-8, 506-52-5, 507-70-0, 508-32-7, 511-59-1, 512-13-0, 512-61-8, 513-85-9, 513-86-0, 514-51-2, 514-99-8, 515-00-4, 515-03-7, 515-69-5, 526-75-0, 527-60-6, 527-84-4, 528-79-0, 529-20-4, 529-33-9, 531-26-0, 532-08-1, 533-18-6, 533-31-3, 534-15-6, 535-77-3, 536-50-5, 536-59-4, 536-60-7, 536-75-4, 536-78-7, 538-65-8, 538-86-3, 539-12-8, 539-30-0, 539-82-2, 539-88-8, 539-90-2, 540-07-8, 540-18-1, 540-42-1, 541-85-5, 541-91-3, 542-46-1, 542-55-2, 543-39-5, 543-49-7, 544-12-7, 544-35-4, 544-40-1, 544-63-8, 544-76-3, 546-28-1, 546-49-6, 546-79-2, 546-80-5, 547-60-4, 547-63-7, 551-08-6, 552-02-3, 554-12-1, 555-10-2, 556-24-1, 556-82-1, 557-00-6, 557-48-2, 560-88-3, 562-74-3, 563-80-4, 564-20-5, 564-94-3, 565-62-8, 565-63-9, 576-26-1, 577-16-2, 578-58-5, 579-07-7, 579-74-8, 583-04-0, 583-60-8, 585-24-0, 586-37-8, 586-62-9, 586-82-3, 588-67-0, 589-18-4, 589-35-5, 589-38-8, 589-59-3, 589-66-2, 589-75-3, 589-82-2, 589-98-0, 590-01-2, 590-86-3, 591-11-7, 591-12-8, 591-31-1, 591-47-9, 591-60-6, 591-68-4, 592-20-1, 592-84-7, 592-88-1, 593-08-8, 593-45-3, 600-14-6, 600-18-0, 604-68-2, 606-45-1, 607-85-2, 607-88-5, 607-90-9, 607-97-6, 609-08-5, 611-13-2, 612-16-8, 613-70-7, 614-18-6, 614-34-6, 615-13-4, 616-25-1, 617-01-6, 617-05-0, 617-35-6, 617-50-5, 617-94-7, 618-45-1, 619-01-2, 620-02-0, 620-17-7, 620-23-5, 620-79-1, 620-80-4, 621-82-9, 622-45-7, 623-05-2, 623-17-6, 623-22-3, 623-36-9, 623-37-0, 623-42-7, 623-70-1, 623-84-7, 624-09-9, 624-13-5, 624-15-7, 624-24-8, 624-41-9, 624-51-1, 624-54-4, 624-92-0, 625-55-8, 626-38-0, 626-77-7, 626-82-4, 626-93-7, 627-83-8, 627-90-7, 628-44-4, 628-63-7, 628-73-9, 628-97-7, 628-99-9, 629-19-6, 629-33-4, 629-50-5, 629-59-4, 629-62-9, 629-63-0, 629-78-7, 629-92-5, 629-94-7, 629-96-9, 629-97-0, 634-36-6, 635-46-1, 637-64-9, 637-78-5, 638-11-9, 638-25-5, 638-49-3, 638-53-9, 638-67-5, 639-99-6, 643-53-8, 644-35-9, 644-49-5, 645-13-6, 645-56-7, 645-62-5, 645-72-7, 646-13-9, 656-53-1, 659-70-1, 661-19-8, 670-24-6, 673-84-7, 675-09-2, 687-47-8, 688-82-4, 689-67-8, 692-86-4, 693-54-9, 695-06-7, 697-82-5, 698-10-2, 698-76-0, 699-02-5, 702-23-8, 705-58-8, 705-73-7, 705-86-2, 706-14-9, 707-29-9, 710-04-3, 712-50-5, 713-95-1, 762-26-5, 762-29-8, 763-32-6, 764-39-6, 765-05-9, 765-70-8, 765-87-7, 774-48-1, 774-55-0, 816-19-3, 816-73-9, 818-38-2, 818-81-5, 821-55-6, 823-22-3, 825-51-4, 828-26-2, 831-97-0, 868-57-5, 871-22-7, 874-66-8, 874-90-8, 879-67-4, 881-68-5, 923-69-3, 925-78-0, 928-68-7, 928-80-3, 928-91-6, 928-94-9, 928-95-0, 928-96-1, 928-97-2, 933-48-2, 937-30-4, 939-48-0, 939-97-9, 941-98-0, 943-27-1, 950-33-4, 996-97-4, 999-40-6, 1002-84-2, 1006-27-5, 1011-12-7, 1072-83-9, 1073-11-6, 1073-29-6, 1076-56-8, 1078-95-1, 1079-01-2, 1080-12-2, 1113-21-9, 1114-92-7, 1115-11-3, 1115-84-0, 1117-52-8, 1117-55-1, 1117-59-5, 1117-61-9, 1118-27-0, 1118-39-4, 1119-06-8, 1119-40-0, 1119-44-4, 1122-62-9, 1123-27-9, 1123-85-9, 1124-11-4, 1125-21-9, 1125-88-8, 1128-08-1, 1129-47-1, 1135-66-6, 1139-30-6, 1142-85-4, 1153-51-1, 1166-52-5, 1188-02-9, 1189-09-9, 1191-16-8, 1192-62-7, 1193-18-6, 1193-79-9, 1193-81-3, 1195-32-0, 1195-79-5, 1195-92-2, 1196-01-6, 1196-31-2, 1197-01-9, 1197-15-5, 1197-33-7, 1200-67-5, 1205-17-0, 1205-42-1, 1209-61-6, 1211-29-6, 1217-08-9, 1222-05-5, 1222-05-5, 1222-05-5, 1222-05-5, 1222-05-5, 1227-51-6, 1319-88-6, 1321-89-7, 1322-17-4, 1322-58-3, 1323-00-8, 1323-75-7, 1329-99-3, 1330-16-1, 1330-20-7, 1331-81-3, 1331-83-5, 1331-92-6, 1333-09-1, 1333-49-9, 1333-52-4, 1333-53-5, 1333-58-0, 1334-78-7, 1334-82-3, 1335-09-7, 1335-10-0, 1335-12-2, 1335-42-8, 1335-44-0, 1335-46-2, 1335-48-4, 1335-66-6, 1335-86-0, 1337-83-3, 1365-19-1, 1405-92-1, 1406-57-1, 1423-46-7, 1424-83-5, 1438-94-4, 1450-72-2, 1454-84-8, 1490-04-6, 1502-22-3, 1504-55-8, 1504-74-1, 1504-75-2, 1506-02-1, 1516-17-2, 1540-28-9, 1540-29-0, 1551-43-5, 1551-44-6, 1552-67-6, 1561-11-1, 1565-76-0, 1565-81-7, 1569-60-4, 1576-77-8, 1576-78-9, 1576-87-0, 1576-95-0, 1579-21-1, 1585-06-4, 1599-47-9, 1599-49-1, 1604-28-0, 1604-34-8, 1617-23-8, 1629-58-9, 1632-73-1, 1646-26-0, 1653-30-1, 1654-86-0, 1669-44-9, 1670-46-8, 1670-47-9, 1674-08-4, 1708-34-5, 1708-35-6, 1708-36-7, 1708-81-2, 1708-82-3, 1725-01-5, 1728-46-7, 1731-81-3, 1731-84-6, 1731-86-8, 1733
-25-1, 1741-41-9, 1754-62-7, 1759-28-0, 1786-08-9, 1797-74-6, 1817-90-9, 1820-09-3, 1838-88-6, 1866-31-5, 1875-89-4, 1879-00-1, 1885-38-7, 1888-90-0, 1900-69-2, 1901-26-4, 1901-38-8, 1922-67-4, 1963-36-6, 1968-40-7, 1975-78-6, 1984-60-7, 2009-74-7, 2021-28-5, 2029-94-9, 2035-99-6, 2040-10-0, 2049-96-9, 2050-01-3, 2050-08-0, 2050-09-1, 2051-78-7, 2051-96-9, 2052-14-4, 2052-15-5, 2057-49-0, 2078-54-8, 2094-69-1, 2094-73-7, 2102-59-2, 2109-22-0, 2110-18-1, 2111-75-3, 2114-29-6, 2114-33-2, 2116-62-3, 2120-70-9, 2120-70-9, 2142-94-1, 2153-26-6, 2153-28-8, 2173-56-0, 2173-57-1, 2177-77-7, 2179-57-9, 2186-92-7, 2198-61-0, 2206-94-2, 2216-45-7, 2216-51-5, 2216-52-6, 2216-81-1, 2217-33-6, 2219-82-1, 2226-05-3, 2239-78-3, 2244-07-7, 2244-16-8, 2257-09-2, 2270-60-2, 2277-16-9, 2277-19-2, 2278-53-7, 2305-05-7, 2305-21-7, 2305-25-1, 2306-78-7, 2306-88-9, 2306-89-0, 2306-91-4, 2308-18-1, 2311-46-8, 2311-59-3, 2315-09-5, 2315-68-6, 2344-70-9, 2345-24-6, 2345-26-8, 2345-27-9, 2345-28-0, 2349-07-7, 2349-13-5, 2351-90-8, 2363-89-5, 2371-13-3, 2380-78-1, 2385-77-5, 2396-77-2, 2396-78-3, 2396-83-0, 2396-84-1, 2396-85-2, 2403-58-9, 2408-20-0, 2408-37-9, 2409-55-4, 2412-73-9, 2412-80-8, 2416-94-6, 2432-51-1, 2432-91-9, 2435-16-7, 2436-90-0, 2437-25-4, 2439-44-3, 2442-10-6, 2445-67-2, 2445-72-9, 2445-76-3, 2445-77-4, 2445-78-5, 2463-53-8, 2463-63-0, 2463-77-6, 2482-39-5, 2497-18-9, 2500-83-6, 2511-00-4, 2520-60-7, 2525-16-8, 2548-87-0, 2550-11-0, 2550-26-7, 2555-49-9, 2556-10-7, 2565-82-4, 2565-83-5, 2568-25-4, 2623-23-6, 2628-17-3, 2630-39-9, 2639-63-6, 2639-68-1, 2679-87-0, 2705-87-5, 2719-08-6, 2721-22-4, 2756-56-1, 2785-87-7, 2785-89-9, 2835-39-4, 2847-30-5, 2882-20-4, 2979-22-8, 2983-36-0, 2983-37-1, 2983-38-2, 2986-54-1, 3008-43-3, 3016-19-1, 3025-30-7, 3033-23-6, 3056-64-2, 3142-72-1, 3149-28-8, 3155-71-3, 3188-00-9, 3208-40-0, 3209-13-0, 3213-73-8, 3239-35-8, 3239-37-0, 3240-09-3, 3240-29-7, 3245-23-6, 3268-49-3, 3269-90-7, 3288-99-1, 3293-47-8, 3301-90-4, 3301-94-8, 3338-55-4, 3360-41-6, 3385-61-3, 3387-41-5, 3390-12-3, 3391-83-1, 3391-86-4, 3391-87-5, 3407-42-9, 3452-97-9, 3460-44-4, 3487-99-8, 3488-00-4, 3491-63-2, 3494-76-6, 3508-98-3, 3521-91-3, 3526-75-8, 3549-23-3, 3558-60-9, 3572-06-3, 3583-00-4, 3603-99-4, 3608-11-5, 3613-30-7, 3623-51-6, 3650-46-2, 3658-77-3, 3658-77-3, 3658-80-8, 3658-93-3, 3681-71-8, 3681-78-5, 3681-82-1, 3683-12-3, 3687-46-5, 3687-48-7, 3691-12-1, 3720-16-9, 3724-54-7, 3724-61-6, 3738-00-9, 3777-69-3, 3777-71-7, 3779-61-1, 3782-00-1, 3796-70-1, 3842-03-3, 3848-24-6, 3891-59-6, 3893-23-0, 3910-35-8, 3913-71-1, 3913-80-2, 3913-81-3, 3915-83-1, 3938-95-2, 3943-74-6, 4077-47-8, 4112-89-4, 4112-92-9, 4125-43-3, 4166-20-5, 4179-19-5, 4180-23-8, 4194-00-7, 4221-98-1, 4230-97-1, 4265-16-1, 4265-97-8, 4312-99-6, 4351-10-4, 4351-54-6, 4353-01-9, 4359-47-1, 4359-57-3, 4360-47-8, 4361-23-3, 4362-22-5, 4364-06-1, 4395-92-0, 4411-89-6, 4427-56-9, 4430-31-3, 4433-36-7, 4437-20-1, 4437-51-8, 4440-65-7, 4442-79-9, 4488-57-7, 4493-42-9, 4501-58-0, 4536-23-6, 4573-50-6, 4602-84-0, 4606-15-9, 4610-11-1, 4621-04-9, 4630-07-3, 4630-82-4, 4643-27-0, 4670-56-8, 4674-50-4, 4675-87-0, 4695-62-9, 4706-81-4, 4707-47-5, 4728-82-9, 4732-13-2, 4740-79-8, 4744-08-5, 4747-07-3, 4748-78-1, 4755-83-3, 4757-23-7, 4798-44-1, 4802-20-4, 4819-67-4, 4826-62-4, 4861-85-2, 4864-61-3, 4884-24-6, 4887-30-3, 4906-24-5, 4927-36-0, 4927-39-3, 4938-52-7, 4941-78-0, 4948-28-1, 4951-48-8, 5077-67-8, 5090-41-5, 5132-75-2, 5137-52-0, 5166-53-0, 5182-36-5, 5205-07-2, 5205-10-7, 5205-11-8, 5208-59-3, 5240-32-4, 5292-21-7, 5320-75-2, 5331-14-6, 5331-32-8, 5333-42-6, 5340-36-3, 5349-51-9, 5349-62-2, 5350-03-8, 5392-40-5, 5392-40-5, 5396-89-4, 5405-41-4, 5405-58-3, 5406-58-6, 5413-60-5, 5421-00-1, 5421-12-5, 5421-17-0, 5421-27-2, 5426-78-8, 5434-57-1, 5435-64-3, 5441-06-5, 5441-56-5, 5442-00-2, 5444-75-7, 5448-22-6, 5451-52-5, 5451-80-9, 5451-85-4, 5451-88-7, 5452-07-3, 5452-75-5, 5454-09-1, 5454-11-5, 5454-19-3, 5454-21-7, 5454-22-8, 5454-28-4, 5457-70-5, 5458-59-3, 5459-98-3, 5461-02-9, 5461-06-3, 5461-08-5, 5462-06-6, 5466-06-8, 5468-05-3, 5468-06-4, 5471-51-2, 5502-75-0, 5524-05-0, 5533-03-9, 5561-08-0, 5579-78-2, 5617-64-1, 5655-61-8, 5660-60-6, 5694-72-4, 5694-82-6, 5703-26-4, 5718-75-2, 5760-50-9, 5764-85-2, 5794-03-6, 5794-04-7, 5820-89-3, 5837-78-5, 5870-68-8, 5870-93-9, 5910-89-4, 5921-82-4, 5932-68-3, 5933-87-9, 5947-36-4, 5949-05-3, 5986-38-9, 5986-55-0, 5988-91-0, 5989-05-9, 5989-27-5, 5989-33-3, 5989-54-8, 6032-29-7, 6051-03-2, 6066-49-5, 6070-14-0, 6090-15-9, 6091-50-5, 6126-50-7, 6132-04-3, 6175-49-1, 6189-76-0, 6191-71-5, 6221-92-7, 6221-93-8, 6222-35-1, 6243-10-3, 6259-76-3, 6259-77-4, 6261-18-3, 6270-03-7, 6281-40-9, 6283-92-7, 6290-17-1, 6290-37-5, 6297-41-2, 6297-48-9, 6309-51-9, 6314-97-2, 6315-04-4, 6324-78-3, 6378-65-0, 6379-73-3, 6380-28-5, 6381-92-6, 6382-06-5, 6382-13-4, 6413-10-1, 6413-26-9, 6414-32-0, 6457-30-3, 6471-66-5, 6485-40-1, 6493-80-7, 6513-03-7, 6561-39-3, 6622-76-0, 6624-71-1, 6635-22-9, 6638-05-7, 6658-48-6, 6707-60-4, 6709-39-3, 6720-16-7, 6728-26-3, 6728-31-0, 6784-08-3, 6784-13-0, 6789-80-6, 6789-88-4, 6790-58-5, 6807-11-0, 6812-78-8, 6819-19-8, 6876-12-6, 6876-13-7, 6901-97-9, 6931-54-0, 6938-45-0, 6939-35-1, 6939-75-9, 6956-37-2, 6963-44-6, 6963-56-0, 6969-49-9, 6976-72-3, 7011-83-8, 7028-48-0, 7053-79-4, 7069-41-2, 7070-15-7, 7111-29-7, 7143-69-3, 7148-78-9, 7149-23-7, 7149-24-8, 7149-26-0, 7149-32-8, 7149-34-0, 7155-12-6, 7158-25-0, 7193-87-5, 7212-40-0, 7212-44-4, 7214-18-8, 7216-56-0, 7289-52-3, 7299-91-4, 7306-12-9, 7335-26-4, 7361-80-0, 7367-78-4, 7367-81-9, 7367-83-1, 7367-84-2, 7367-88-6, 7370-44-7, 7370-92-5, 7384-98-7, 7388-22-9, 7392-19-0, 7399-50-0, 7402-29-1, 7403-42-1, 7416-35-5, 7452-79-1, 7460-74-4, 7491-02-3, 7492-37-7, 7492-39-9, 7492-41-3, 7492-44-6, 7492-45-7, 7492-65-1, 7492-66-2, 7492-67-3, 7492-70-8, 7493-57-4, 7493-58-5, 7493-59-6, 7493-63-2, 7493-65-4, 7493-66-5, 7493-69-8, 7493-72-3, 7493-74-5, 7493-75-6, 7493-76-7, 7493-78-9, 7493-79-0, 7493-80-3, 7493-82-5, 7495-84-3, 7500-42-7, 7504-66-7, 7540-51-4, 7540-53-6, 7541-49-3, 7549-33-9, 7549-37-3, 7549-41-9, 7554-12-3, 7598-60-9, 7732-18-5, 7756-96-9, 7764-50-3, 7774-44-9, 7774-60-9, 7774-65-4, 7774-79-0, 7774-82-5, 7774-96-1, 7775-00-0, 7775-38-4, 7775-39-5, 7778-83-8, 7778-87-2, 7778-96-3, 7779-07-9, 7779-16-0, 7779-17-1, 7779-23-9, 7779-30-8, 7779-41-1, 7779-50-2, 7779-54-6, 7779-65-9, 7779-67-1, 7779-70-6, 7779-72-8, 7779-73-9, 7779-75-1, 7779-77-3, 7779-78-4, 7779-80-8, 7779-81-9, 7779-94-4, 7780-06-5, 7784-67-0, 7784-98-7, 7785-26-4, 7785-33-3, 7785-53-7, 7785-54-8, 7785-64-0, 7785-65-1, 7785-70-8, 7786-29-0, 7786-44-9, 7786-47-2, 7786-48-3, 7786-58-5, 7786-61-0, 7786-67-6, 7787-20-4, 8000-25-7, 8000-25-7, 8000-25-7, 8000-25-7, 8000-25-7, 8000-25-7, 8000-25-7, 8000-25-7, 8000-25-7, 8000-25-7, 8000-25-7, 8000-26-8, 8000-26-8, 8000-26-8, 8000-28-0, 8000-28-0, 8000-28-0, 8000-28-0, 8000-28-0, 8000-28-0, 8000-28-0, 8000-28-0, 8000-29-1, 8000-29-1, 8000-29-1, 8000-34-8, 8000-34-8, 8000-34-8, 8000-34-8, 8000-34-8, 8000-34-8, 8000-41-7, 8000-42-8, 8000-42-8, 8000-46-2, 8000-46-2, 8000-46-2, 8000-46-2, 8000-46-2, 8000-48-4, 8000-48-4, 8000-48-4, 8000-48-4, 8000-48-4, 8000-48-4, 8000-66-6, 8000-66-6, 8000-68-8, 8000-68-8, 8000-68-8, 8000-68-8, 8000-68-8, 8000-78-0, 8000-78-0, 8000-78-0, 8000-78-0, 8001-04-5, 8001-21-6, 8001-25-0, 8001-25-0, 8001-25-0, 8001-25-0, 8001-25-0, 8001-25-0, 8001-26-1, 8001-26-1, 8001-26-1, 8001-31-8, 8001-61-4, 8001-69-2, 8002-09-3, 8002-13-9, 8002-56-0, 8002-60-6, 8002-60-6, 8002-66-2, 8002-66-2, 8002-72-0, 8002-72-0, 8002-72-0, 8002-72-0, 8002-72-0, 8002-73-1, 8002-73-1, 8002-73-1, 8002-73-1, 8002-73-1, 8006-39-1, 8006-64-2, 8006-75-5, 8006-75-5, 8006-75-5, 8006-75-5, 8006-75-5, 8006-75-5, 8006-75-5, 8006-75-5, 8006-77-7, 8006-77-7, 8006-77-7, 8006-77-7, 8006-77-7, 8006-77-7, 8006-77-7, 8006-78-8, 8006-78-8, 8006-81-3, 8006-81-3, 8006-81-3, 8006-81-3, 8006-81-3, 8006-82-4, 8006-82-4, 8006-82-4, 8006-83-5, 8006-84-6, 8006-86-8, 8006-87-9, 8006-87-9, 8006-90-4, 8006-90-4, 8006-90-4, 8006-90-4, 8006-90-4, 8006-90-4, 8006-90-4, 8006-90-4, 8006-90-4, 8006-90-4, 8006-90-4, 8006-90-4, 8006-90-4, 8006-90-4, 8006-90-4, 8007-00-9, 8007-00-9, 8007-01-0, 8007-01-0, 8007-01-0, 8007-01-0, 8007-01-0, 8007-01-0, 8007-01-0, 8007-01-0, 8007-02-1, 8007-02-1, 8007-02-1, 8007-04-3, 8007-04-3, 8007-06-5, 8007-08-7, 8007-08-7, 8007-08-7, 8007-08-7, 8007-11-2, 8007-11-2, 8007-11-2, 8007-12-3, 8007-12-3, 8007-20-3, 8007-20-3, 8007-20-3, 8007-35-0, 8007-46-3, 8007-46-3, 8007-46-3, 8007-46-3, 8007-47-4, 8007-47-4, 8007-48-5, 8007-48-5, 8007-70-3, 8007-70-3, 8007-70-3, 8007-70-3, 8007-70-3, 8007-75-8, 8007-75-8, 8007-75-8, 8007-75-8, 8007-75-8, 8007-75-8, 8007-80-5, 8007-80-5, 8007-87-2, 8007-87-2, 8008-26-2, 8008-26-2, 8008-26-2, 8008-26-2, 8008-26-2, 8008-26-2, 8008-26-2, 8008-26-2, 8008-26-2, 8008-26-2, 8008-26-2, 8008-26-2, 8008-31-9, 8008-31-9, 8008-31-9, 8008-31-9, 8008-31-9, 8008-31-9, 8008-31-9, 8008-31-9, 8008-31-9, 8008-31-9, 8008-31-9, 8008-31-9, 8008-45-5, 8008-45-5, 8008-45-5, 8008-45-5, 8008-45-5, 8008-51-3, 8008-52-4, 8008-52-4, 8008-52-4, 8008-52-4, 8008-52-4, 8008-56-8, 8008-56-8, 8008-56-8, 8008-56-8, 8008-56-8, 8008-56-8, 8008-56-8, 8008-56-8, 8008-56-8, 8008-56-8, 8008-56-8, 8008-56-8, 8008-56-8, 8008-56-8, 8008-56-8, 8008-56-8, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-57-9, 8008-74-0, 8008-74-0, 8008-74-0, 8008-79-5, 8008-79-5, 8008-79-5, 8008-79-5, 8008-80-8, 8008-88-6, 8008-88-6, 8008-93-3, 8008-93-3, 8008-93-3, 8008-93-3, 8008-98-8, 8008-98-8, 8012-89-3, 8012-89-3, 8012-91-7, 8013-12-5, 8013-75-0, 8013-76-1, 8013-90-9, 8013-97-6, 8013-99-8, 8013-99-8, 8014-09-3, 8014-09-3, 8014-09-3, 8014-09-3, 8014-09-3, 8014-13-9, 8014-13-9, 8014-17-3, 8014-17-3, 8014-17-3, 8014-17-3, 8014-17-3, 8014-17-3, 8014-19-5, 8014-29-7, 8014-29-7, 8015-01-8, 8015-01-8, 8015-01-8, 8015-01-8, 8015-62-1, 8015-62-1, 8015-64-3, 8015-64-3, 8015-64-3, 8015-64-3, 8015-64-3, 8015-64-3, 8015-73-4, 8015-73-4, 8015-73-4, 8015-73-4, 8015-73-4, 8015-73-4, 8015-73-4, 8015-73-4, 8015-73-4, 8015-77-8, 8015
-77-8, 8015-77-8, 8015-88-1, 8015-88-1, 8015-88-1, 8015-90-5, 8015-90-5, 8015-90-5, 8015-91-6, 8015-91-6, 8015-91-6, 8015-91-6, 8015-91-6, 8015-91-6, 8015-92-7, 8015-92-7, 8015-92-7, 8016-03-3, 8016-03-3, 8016-03-3, 8016-20-4, 8016-20-4, 8016-20-4, 8016-20-4, 8016-20-4, 8016-20-4, 8016-20-4, 8016-20-4, 8016-20-4, 8016-20-4, 8016-20-4, 8016-20-4, 8016-20-4, 8016-21-5, 8016-21-5, 8016-21-5, 8016-23-7, 8016-23-7, 8016-26-0, 8016-26-0, 8016-26-0, 8016-26-0, 8016-26-0, 8016-26-0, 8016-31-7, 8016-31-7, 8016-36-2, 8016-36-2, 8016-37-3, 8016-37-3, 8016-37-3, 8016-37-3, 8016-38-4, 8016-38-4, 8016-38-4, 8016-38-4, 8016-42-0, 8016-63-5, 8016-63-5, 8016-63-5, 8016-63-5, 8016-63-5, 8016-63-5, 8016-63-5, 8016-63-5, 8016-63-5, 8016-68-0, 8016-69-1, 8016-78-2, 8016-78-2, 8016-84-0, 8016-84-0, 8016-84-0, 8016-84-0, 8016-84-0, 8016-84-0, 8016-84-0, 8016-84-0, 8016-84-0, 8016-85-1, 8016-85-1, 8016-85-1, 8016-85-1, 8016-85-1, 8016-88-4, 8016-88-4, 8021-29-2, 8021-39-4, 8022-07-9, 8022-07-9, 8022-07-9, 8022-07-9, 8022-15-9, 8022-15-9, 8022-15-9, 8022-18-2, 8022-56-8, 8022-56-8, 8022-56-8, 8022-56-8, 8022-56-8, 8022-56-8, 8022-56-8, 8022-56-8, 8022-56-8, 8022-56-8, 8022-96-6, 8022-96-6, 8022-96-6, 8022-96-6, 8022-96-6, 8022-96-6, 8022-96-6, 8022-96-6, 8022-96-6, 8022-96-6, 8022-96-6, 8022-96-6, 8023-76-5, 8023-78-7, 8023-78-7, 8023-83-4, 8023-83-4, 8023-83-4, 8023-83-4, 8023-89-0, 8023-89-0, 8023-89-0, 8023-91-4, 8023-91-4, 8023-91-4, 8023-99-2, 8023-99-2, 8023-99-2, 8023-99-2, 8024-00-8, 8024-03-1, 8024-05-3, 8024-05-3, 8024-06-4, 8024-06-4, 8024-06-4, 8024-08-6, 8024-08-6, 8024-15-5, 8024-35-9, 8024-40-6, 8028-47-5, 8028-48-6, 8028-48-6, 8028-48-6, 8028-48-6, 8028-48-6, 8028-48-6, 8030-28-2, 8030-28-2, 8030-28-2, 8030-28-2, 8030-55-5, 8030-55-5, 8030-55-5, 8030-89-5, 8030-97-5, 8031-03-6, 8031-03-6, 8031-03-6, 8031-03-6, 8038-65-1, 8038-65-1, 8046-19-3, 8046-19-3, 8046-22-8, 8046-22-8, 8047-24-3, 8047-24-3, 8048-51-9, 8048-51-9, 8050-07-5, 8050-07-5, 8050-07-5, 8050-15-5, 8052-14-0, 8052-14-0, 8053-33-6, 8053-39-2, 8057-49-6, 8057-49-6, 8057-49-6, 8057-49-6, 8060-28-4, 8060-28-4, 8060-28-4, 8060-28-4, 9000-04-8, 9000-04-8, 9000-05-9, 9000-05-9, 9000-05-9, 9000-05-9, 9000-05-9, 9000-05-9, 9000-12-8, 9000-24-2, 9000-24-2, 9000-24-2, 9000-40-2, 9000-45-7, 9000-45-7, 9000-45-7, 9000-45-7, 9000-45-7, 9000-45-7, 9000-57-1, 9000-64-0, 9000-64-0, 9000-64-0, 9000-64-0, 9000-72-0, 9000-72-0, 9000-72-0, 9000-72-0, 9000-72-0, 9000-75-3, 9000-75-3, 9000-75-3, 9000-75-3, 9000-78-6, 9000-78-6, 9000-78-6, 9000-78-6, 9005-90-7, 10022-28-3, 10024-56-3, 10024-57-4, 10024-64-3, 10031-71-7, 10031-82-0, 10031-86-4, 10031-87-5, 10031-90-0, 10031-93-3, 10031-96-6, 10032-00-5, 10032-02-7, 10032-05-0, 10032-08-3, 10032-11-8, 10032-13-0, 10032-15-2, 10058-43-2, 10072-05-6, 10094-34-5, 10094-36-7, 10094-40-3, 10094-41-4, 10099-57-7, 10108-80-2, 10138-63-3, 10143-32-5, 10152-77-9, 10198-23-9, 10203-28-8, 10233-13-3, 10235-63-9, 10236-16-5, 10250-45-0, 10276-85-4, 10339-55-6, 10339-61-4, 10340-23-5, 10348-47-7, 10361-39-4, 10402-33-2, 10402-47-8, 10402-52-5, 10411-92-4, 10415-87-9, 10415-88-0, 10444-50-5, 10448-26-7, 10458-14-7, 10471-14-4, 10471-96-2, 10472-24-9, 10482-55-0, 10482-56-1, 10482-65-2, 10482-77-6, 10482-79-8, 10484-09-0, 10484-23-8, 10484-35-2, 10484-36-3, 10484-56-7, 10486-14-3, 10486-19-8, 10519-11-6, 10519-12-7, 10519-33-2, 10521-91-2, 10521-96-7, 10522-26-6, 10522-32-4, 10522-33-5, 10522-41-5, 10544-63-5, 10580-25-3, 10588-10-0, 10588-15-5, 10599-70-9, 11028-42-5, 11031-45-1, 11050-62-7, 12262-03-2, 13002-09-0, 13002-11-4, 13019-22-2, 13058-12-3, 13074-63-0, 13074-65-2, 13109-70-1, 13112-65-7, 13144-88-2, 13171-00-1, 13184-86-6, 13201-46-2, 13215-88-8, 13254-34-7, 13257-44-8, 13262-27-6, 13285-51-3, 13327-56-5, 13341-72-5, 13351-61-6, 13360-65-1, 13380-89-7, 13380-94-4, 13429-07-7, 13442-90-5, 13442-92-7, 13466-78-9, 13477-62-8, 13481-09-9, 13481-87-3, 13487-27-9, 13491-79-7, 13494-06-9, 13494-08-1, 13532-18-8, 13548-84-0, 13552-96-0, 13567-39-0, 13602-09-0, 13623-11-5, 13674-19-6, 13678-59-6, 13679-70-4, 13679-85-1, 13679-86-2, 13708-12-8, 13720-12-2, 13720-13-3, 13786-79-3, 13794-73-5, 13811-71-7, 13816-33-6, 13828-37-0, 13851-06-4, 13851-11-1, 13877-91-3, 13877-93-5, 13894-61-6, 13894-62-7, 13894-63-8, 13925-00-3, 13925-06-9, 13925-07-0, 13945-76-1, 14049-11-7, 14073-97-3, 14250-95-4, 14289-65-7, 14309-57-0, 14374-92-6, 14436-32-9, 14481-52-8, 14481-55-1, 14576-08-0, 14617-92-6, 14620-52-1, 14667-55-1, 14727-47-0, 14735-72-9, 14765-30-1, 14852-31-4, 14901-07-6, 15103-32-9, 15103-33-0, 15111-56-5, 15111-96-3, 15149-10-7, 15186-51-3, 15323-35-0, 15356-60-2, 15356-74-8, 15373-31-6, 15399-05-0, 15456-70-9, 15514-30-0, 15537-55-0, 15591-90-9, 15679-12-6, 15679-13-7, 15706-73-7, 15707-23-0, 15707-24-1, 15760-18-6, 15764-04-2, 15764-16-6, 15766-66-2, 15932-80-6, 15986-80-8, 16021-08-2, 16251-77-7, 16356-11-9, 16400-72-9, 16409-43-1, 16409-44-2, 16409-45-3, 16409-46-4, 16429-07-5, 16429-21-3, 16491-24-0, 16491-36-4, 16491-54-6, 16493-80-4, 16509-46-9, 16510-27-3, 16556-48-2, 16587-71-6, 16930-93-1, 16930-96-4, 16939-73-4, 16957-70-3, 17102-64-6, 17162-29-7, 17283-81-7, 17369-57-2, 17369-59-4, 17369-60-7, 17373-89-6, 17488-65-2, 17511-60-3, 17511-61-4, 17597-95-4, 17610-24-1, 17627-44-0, 17699-16-0, 17735-99-8, 17909-77-2, 17916-91-5, 18031-40-8, 18096-62-3, 18127-01-0, 18138-04-0, 18172-67-3, 18185-81-4, 18189-02-1, 18189-05-4, 18189-07-6, 18277-27-5, 18294-87-6, 18309-28-9, 18309-32-5, 18339-16-7, 18358-53-7, 18362-97-5, 18368-91-7, 18383-49-8, 18402-82-9, 18409-17-1, 18409-18-2, 18409-21-7, 18433-93-7, 18436-37-8, 18451-96-2, 18479-49-7, 18479-51-1, 18479-54-4, 18479-57-7, 18479-58-8, 18479-58-8, 18479-68-0, 18485-38-6, 18492-65-4, 18492-66-5, 18640-74-9, 18675-16-6, 18675-17-7, 18679-18-0, 18794-84-8, 18824-63-0, 18829-56-6, 18836-52-7, 18871-14-2, 18871-14-2, 19009-56-4, 19089-92-0, 19093-20-0, 19139-31-2, 19141-40-3, 19317-11-4, 19322-27-1, 19329-89-6, 19343-78-3, 19464-94-9, 19487-61-7, 19550-54-0, 19700-21-1, 19781-13-6, 19788-49-9, 19819-98-8, 19870-74-7, 19872-52-7, 19883-29-5, 19902-08-0, 20009-20-5, 20030-30-2, 20053-88-7, 20125-84-2, 20125-85-3, 20273-24-9, 20279-25-8, 20279-43-0, 20279-51-0, 20290-84-0, 20292-09-5, 20298-69-5, 20298-70-8, 20307-84-0, 20407-84-5, 20483-36-7, 20592-10-3, 20662-84-4, 20665-85-4, 20680-10-8, 20691-52-5, 20770-40-5, 20777-39-3, 20777-47-3, 20777-49-5, 20780-48-7, 20780-48-7, 20780-49-8, 20834-59-7, 20859-10-3, 20883-16-3, 20920-83-6, 21016-46-6, 21063-71-8, 21112-37-8, 21129-27-1, 21145-77-7, 21188-58-9, 21188-61-4, 21280-29-5, 21368-68-3, 21653-20-3, 21661-97-2, 21662-09-9, 21662-13-5, 21690-43-7, 21722-83-8, 21834-92-4, 21835-00-7, 21835-01-8, 21862-63-5, 21944-98-9, 21964-44-3, 22009-37-6, 22029-76-1, 22030-19-9, 22037-88-3, 22047-25-2, 22094-00-4, 22104-78-5, 22104-79-6, 22104-80-9, 22104-81-0, 22414-70-6, 22418-66-2, 22451-63-4, 22457-23-4, 22457-25-6, 22460-95-3, 22610-86-2, 22629-48-7, 22629-49-8, 22690-27-3, 22717-57-3, 22719-81-9, 22771-44-4, 22810-10-2, 22874-79-9, 22882-89-9, 22882-91-3, 23089-26-1, 23147-57-1, 23267-57-4, 23333-91-7, 23361-88-8, 23495-12-7, 23511-70-8, 23550-40-5, 23696-85-7, 23726-91-2, 23726-92-3, 23726-93-4, 23726-94-5, 23733-88-2, 23747-48-0, 23787-90-8, 23832-18-0, 23950-98-3, 23985-25-3, 23986-74-5, 24048-13-3, 24048-14-4, 24089-00-7, 24168-70-5, 24202-00-4, 24237-00-1, 24237-01-2, 24237-02-3, 24238-95-7, 24295-03-2, 24317-94-0, 24323-38-4, 24650-42-8, 24680-50-0, 24683-00-9, 24691-15-4, 24691-17-6, 24700-20-7, 24717-85-9, 24717-86-0, 24720-09-0, 24817-51-4, 24851-98-7, 25013-16-5, 25152-85-6, 25225-08-5, 25225-09-6, 25225-10-9, 25226-98-6, 25263-97-2, 25265-71-8, 25279-09-8, 25304-14-7, 25312-34-9, 25334-93-4, 25339-17-7, 25340-17-4, 25395-31-7, 25415-62-7, 25415-67-2, 25415-77-4, 25435-63-6, 25524-95-2, 25628-84-6, 25680-58-4, 25773-40-4, 25905-14-0, 25966-79-4, 26001-58-1, 26160-83-8, 26171-78-8, 26252-11-9, 26330-64-3, 26330-65-4, 26370-28-5, 26446-31-1, 26446-32-2, 26489-01-0, 26537-19-9, 26553-46-8, 26619-69-2, 26643-91-4, 26643-92-5, 26896-48-0, 26952-21-6, 27039-84-5, 27043-05-6, 27135-90-6, 27178-16-1, 27196-00-5, 27310-22-1, 27458-92-0, 27458-94-2, 27538-09-6, 27538-10-9, 27539-94-2, 27575-61-7, 27593-23-3, 27606-09-3, 27625-35-0, 27829-72-7, 27939-60-2, 28043-10-9, 28060-90-4, 28069-72-9, 28069-74-1, 28132-01-6, 28219-60-5, 28219-61-6, 28231-03-0, 28267-32-5, 28290-90-6, 28369-24-6, 28371-99-5, 28387-62-4, 28462-85-3, 28588-74-1, 28645-51-4, 28664-35-9, 28787-36-2, 28839-13-6, 28897-20-3, 28897-58-7, 28940-11-6, 28959-02-6, 28977-58-4, 29021-36-1, 29066-34-0, 29127-83-1, 29171-20-8, 29171-21-9, 29210-77-3, 29214-60-6, 29239-07-4, 29350-67-2, 29350-73-0, 29460-92-2, 29461-13-0, 29548-14-9, 29548-30-9, 29592-92-5, 29592-95-8, 29606-79-9, 29714-87-2, 29759-11-3, 29806-73-3, 29811-50-5, 29895-73-6, 29896-45-5, 29957-43-5, 30076-98-3, 30100-15-3, 30168-23-1, 30207-98-8, 30310-41-9, 30390-50-2, 30390-51-3, 30418-89-4, 30460-92-5, 30640-46-1, 30673-36-0, 30673-38-2, 30673-60-0, 30772-69-1, 30772-79-3, 30895-79-5, 30897-75-7, 30960-39-5, 30982-03-7, 31147-36-1, 31148-31-9, 31161-71-4, 31308-55-1, 31375-17-4, 31499-72-6, 31501-11-8, 31502-14-4, 31502-19-9, 31565-19-2, 31574-44-4, 31795-37-6, 31807-55-3, 31846-06-7, 31906-04-4, 31996-78-8, 32074-56-9, 32210-23-4, 32214-91-8, 32388-55-9, 32388-56-0, 32438-31-6, 32466-55-0, 32659-21-5, 32665-23-9, 32737-14-7, 32741-11-0, 32764-98-0, 32797-50-5, 32803-39-7, 32974-92-8, 33046-81-0, 33079-56-0, 33281-91-3, 33467-73-1, 33467-74-2, 33467-74-2, 33467-76-4, 33662-58-7, 33673-62-0, 33673-65-3, 33673-71-1, 33704-60-8, 33704-61-9, 33880-83-0, 33885-51-7, 33885-52-8, 33900-84-4, 33941-99-0, 34131-98-1, 34291-99-1, 34316-64-8, 34322-06-0, 34322-08-2, 34322-09-3, 34365-79-2, 34413-35-9, 34451-19-9, 34495-71-1, 34545-88-5, 34590-94-8, 34686-71-0, 34687-43-9, 34764-02-8, 34962-91-9, 34995-77-2, 35044-57-6, 35044-58-7, 35044-59-8, 35044-63-4, 35044-68-9, 35061-61-1, 35127-50-5, 35151-11-2, 35154-45-1, 35158-25-9, 35205-76-6, 35206-51-0, 35234-21-0, 35234-25-4, 35274-05-6, 35472-56-1, 35670-93-0, 35720-57-1, 35852-46-1, 35854-86-5, 36208-32-9, 36219-73-5, 36267-71-7, 36306-86-2, 36306-87-3, 36399-15-2, 36431-72-8, 36438-54-7, 36528-28-6, 36653-82-4, 36685-97-9, 36789-59-0, 
37064-20-3, 37161-74-3, 37172-02-4, 37172-05-7, 37172-53-5, 37172-54-6, 37514-30-0, 37526-88-8, 37596-36-4, 37609-25-9, 37617-03-1, 37674-63-8, 37677-14-8, 37811-72-6, 37837-44-8, 37973-51-6, 37973-52-7, 38019-89-5, 38049-26-2, 38142-45-9, 38228-51-2, 38237-00-2, 38285-49-3, 38303-23-0, 38446-21-8, 38462-22-5, 38462-23-6, 38533-54-9, 38618-23-4, 38713-41-6, 38888-81-2, 39026-94-3, 39067-39-5, 39067-80-6, 39129-16-3, 39189-74-7, 39212-23-2, 39251-86-0, 39255-32-8, 39282-36-5, 39556-41-7, 39770-04-2, 39770-05-3, 39864-15-8, 39872-57-6, 39900-12-4, 39900-38-4, 39924-27-1, 39924-52-2, 40188-41-8, 40203-73-4, 40267-72-9, 40379-24-6, 40527-42-2, 40596-76-7, 40654-82-8, 40702-13-4, 40716-66-3, 40785-62-4, 40853-53-0, 40853-56-3, 40910-49-4, 40923-64-6, 40942-73-2, 41199-19-3, 41199-19-3, 41270-80-8, 41414-75-9, 41448-29-7, 41453-56-9, 41496-43-9, 41519-18-0, 41519-23-7, 41547-22-2, 41654-15-3, 41678-36-8, 41723-98-2, 41724-19-0, 41767-05-9, 41816-03-9, 41847-86-3, 41847-88-5, 41890-92-0, 41927-71-3, 42075-45-6, 42078-65-9, 42175-41-7, 42231-50-5, 42231-99-2, 42232-27-9, 42288-75-5, 42348-12-9, 42370-06-9, 42370-07-0, 42436-07-7, 42604-12-6, 42822-86-6, 42822-86-6, 42824-62-4, 42866-91-1, 43052-87-5, 45019-28-1, 50343-36-7, 50373-36-9, 50405-95-3, 50542-90-0, 50607-64-2, 50623-57-9, 50638-95-4, 50816-18-7, 50980-84-2, 51015-28-2, 51015-29-3, 51100-54-0, 51115-63-0, 51115-64-1, 51115-67-4, 51115-88-9, 51117-19-2, 51200-86-3, 51352-68-2, 51411-24-6, 51414-25-6, 51447-08-6, 51519-65-4, 51532-26-4, 51534-36-2, 51556-30-0, 51566-62-2, 51595-91-6, 51608-18-5, 51685-39-3, 51685-40-6, 51755-66-9, 51755-83-0, 51755-85-2, 51756-08-2, 52089-55-1, 52191-01-2, 52210-18-1, 52363-43-6, 52474-60-9, 52475-86-2, 52475-89-5, 52514-66-6, 52517-67-6, 52557-97-8, 52788-71-3, 52972-16-4, 53004-93-6, 53018-24-9, 53046-97-2, 53082-58-9, 53153-67-6, 53179-04-7, 53219-21-9, 53243-59-7, 53243-60-0, 53338-05-9, 53338-06-0, 53398-78-0, 53398-80-4, 53398-81-5, 53398-83-7, 53398-84-8, 53398-85-9, 53398-86-0, 53398-87-1, 53399-81-8, 53405-97-3, 53405-98-4, 53446-63-2, 53448-07-0, 53452-65-6, 53488-14-5, 53498-32-1, 53535-33-4, 53751-40-9, 53767-86-5, 53767-93-4, 53834-70-1, 53889-39-7, 54043-73-1, 54082-68-7, 54089-83-7, 54200-50-9, 54300-08-2, 54300-09-3, 54300-10-6, 54340-90-8, 54393-36-1, 54410-94-5, 54440-17-4, 54464-57-2, 54464-59-4, 54484-73-0, 54491-17-7, 54533-29-8, 54546-26-8, 54653-25-7, 54815-13-3, 54830-99-8, 54852-64-1, 54889-48-4, 54947-74-9, 54982-83-1, 54992-91-5, 54993-30-5, 55050-40-3, 55066-48-3, 55066-49-4, 55066-53-0, 55066-54-1, 55066-56-3, 55418-52-5, 55505-28-7, 55514-48-2, 55704-78-4, 55719-85-2, 55722-59-3, 55881-96-4, 55915-70-3, 56001-43-5, 56011-02-0, 56057-93-3, 56105-46-5, 56107-04-1, 56134-05-5, 56172-46-4, 56423-40-6, 56423-43-9, 56438-09-6, 56469-39-7, 56747-96-7, 56805-23-3, 56836-93-2, 56922-74-8, 56922-81-7, 56922-82-8, 56961-73-0, 56973-85-4, 57069-86-0, 57069-87-1, 57074-34-7, 57074-37-0, 57082-24-3, 57094-40-3, 57129-12-1, 57246-60-3, 57345-19-4, 57371-42-3, 57378-68-4, 57500-00-2, 57568-60-2, 57576-09-7, 57582-46-4, 57743-63-2, 57856-81-2, 57893-27-3, 57934-97-1, 57943-67-6, 57967-68-7, 57967-72-3, 57967-73-4, 57967-74-5, 58001-88-0, 58031-03-1, 58096-46-1, 58096-47-2, 58102-02-6, 58206-95-4, 58214-96-3, 58243-85-9, 58244-29-4, 58260-78-9, 58296-81-4, 58430-94-7, 58437-69-7, 58461-27-1, 58475-04-0, 58479-55-3, 58555-74-1, 58567-11-6, 58625-95-9, 58625-96-0, 58911-05-0, 58927-81-4, 58985-02-7, 58985-18-5, 59020-90-5, 59052-82-3, 59056-62-1, 59056-64-3, 59056-70-1, 59151-19-8, 59191-78-5, 59230-57-8, 59259-38-0, 59259-90-4, 59323-76-1, 59324-17-3, 59354-71-1, 59376-58-8, 59471-80-6, 59558-23-5, 59632-85-8, 59672-05-8, 60045-26-3, 60045-27-4, 60047-17-8, 60066-88-8, 60113-43-1, 60160-17-0, 60234-72-2, 60241-52-3, 60241-53-4, 60241-55-6, 60308-75-0, 60308-76-1, 60335-71-9, 60405-50-7, 60415-61-4, 60523-21-9, 60763-40-8, 60763-41-9, 60763-42-0, 60763-44-2, 60770-00-5, 60788-25-2, 60826-15-5, 60958-23-8, 61099-53-4, 61114-24-7, 61415-11-0, 61444-38-0, 61444-39-1, 61444-41-5, 61531-45-1, 61683-99-6, 61692-78-2, 61692-83-9, 61692-84-0, 61699-38-5, 61702-91-8, 61758-03-0, 61759-64-6, 61789-53-5, 61789-92-2, 61789-92-2, 61789-92-2, 61789-92-2, 61792-11-8, 61792-12-9, 61810-55-7, 61826-52-6, 61826-53-7, 61826-56-0, 61920-45-4, 61931-80-4, 61931-81-5, 61949-23-3, 62062-85-5, 62151-56-8, 62346-96-7, 62395-45-3, 62406-73-9, 62439-41-2, 62488-24-8, 62488-56-6, 62501-24-0, 62518-65-4, 62563-80-8, 63095-33-0, 63187-91-7, 63253-24-7, 63270-14-4, 63429-28-7, 63449-64-9, 63449-68-3, 63449-88-7, 63449-89-8, 63449-95-6, 63450-30-6, 63500-71-0, 63649-51-4, 63826-25-5, 63885-09-6, 64001-15-6, 64165-57-7, 64187-83-3, 64275-73-6, 64461-99-0, 64577-91-9, 64644-32-2, 64644-34-4, 64644-36-6, 64825-20-3, 64988-06-3, 65113-95-3, 65113-99-7, 65114-03-6, 65155-45-5, 65405-67-6, 65405-68-7, 65405-69-8, 65405-70-1, 65405-72-3, 65405-73-4, 65405-76-7, 65405-77-8, 65405-80-3, 65405-84-7, 65416-14-0, 65416-17-3, 65416-20-8, 65416-21-9, 65416-26-4, 65442-31-1, 65443-14-3, 65505-24-0, 65505-25-1, 65530-53-2, 65620-50-0, 65652-28-0, 65652-33-7, 65737-52-2, 65813-53-8, 65996-98-7, 65996-99-8, 65997-06-0, 66008-65-9, 66008-66-0, 66062-78-0, 66068-84-6, 66072-32-0, 66327-54-6, 66408-78-4, 66471-49-6, 66576-71-4, 66848-40-6, 66848-41-7, 67019-89-0, 67028-40-4, 67114-38-9, 67234-04-2, 67355-38-8, 67392-15-8, 67452-27-1, 67583-77-1, 67601-05-2, 67633-92-5, 67633-93-6, 67633-94-7, 67633-95-8, 67633-96-9, 67633-98-1, 67633-99-2, 67634-00-8, 67634-01-9, 67634-02-0, 67634-03-1, 67634-04-2, 67634-05-3, 67634-06-4, 67634-07-5, 67634-08-6, 67634-09-7, 67634-11-1, 67634-12-2, 67634-14-4, 67634-15-5, 67634-16-6, 67634-17-7, 67634-20-2, 67634-22-4, 67634-23-5, 67634-24-6, 67634-25-7, 67634-26-8, 67662-96-8, 67663-01-8, 67663-03-0, 67663-05-2, 67674-36-6, 67674-37-7, 67674-41-3, 67674-46-8, 67674-47-9, 67689-50-3, 67701-33-1, 67707-75-9, 67710-71-8, 67715-79-1, 67715-80-4, 67715-81-5, 67715-82-6, 67770-79-0, 67785-69-7, 67785-71-1, 67785-76-6, 67785-77-7, 67800-80-0, 67800-86-6, 67801-16-5, 67801-17-6, 67801-20-1, 67801-23-4, 67801-27-8, 67801-29-0, 67801-30-3, 67801-31-4, 67801-32-5, 67801-33-6, 67801-36-9, 67801-37-0, 67801-38-1, 67801-39-2, 67801-40-5, 67801-41-6, 67801-42-7, 67801-43-8, 67801-44-9, 67801-45-0, 67801-46-1, 67801-47-2, 67801-64-3, 67801-65-4, 67828-19-7, 67845-30-1, 67845-42-5, 67845-46-9, 67845-50-5, 67845-58-3, 67845-59-4, 67859-96-5, 67860-00-8, 67860-01-9, 67874-67-3, 67874-68-4, 67874-69-5, 67874-72-0, 67874-73-1, 67874-74-2, 67874-77-5, 67874-78-6, 67874-80-0, 67874-81-1, 67883-79-8, 67890-79-3, 67905-40-2, 67919-67-9, 67920-63-2, 67920-94-9, 67923-79-9, 67923-82-4, 67923-83-5, 67923-84-6, 67923-85-7, 67923-86-8, 67924-13-4, 67924-14-5, 67952-57-2, 67952-65-2, 67952-68-5, 67999-56-8, 67999-56-8, 68039-24-7, 68039-26-9, 68039-34-9, 68039-35-0, 68039-38-3, 68039-39-4, 68039-40-7, 68039-41-8, 68039-42-9, 68039-44-1, 68039-45-2, 68039-47-4, 68039-48-5, 68039-49-6, 68039-69-0, 68039-73-6, 68039-78-1, 68071-23-8, 68083-54-5, 68083-55-6, 68083-57-8, 68083-58-9, 68084-04-8, 68092-41-1, 68129-81-7, 68132-21-8, 68132-80-9, 68133-72-2, 68133-73-3, 68133-74-4, 68133-75-5, 68133-76-6, 68133-77-7, 68133-78-8, 68133-79-9, 68140-48-7, 68140-52-3, 68141-11-7, 68141-13-9, 68141-14-0, 68141-17-3, 68141-18-4, 68141-19-5, 68141-20-8, 68141-26-4, 68141-27-5, 68153-06-0, 68155-66-8, 68155-67-9, 68186-14-1, 68188-98-7, 68198-80-1, 68213-85-4, 68213-86-5, 68213-87-6, 68214-06-2, 68228-06-8, 68228-09-1, 68228-10-4, 68228-11-5, 68258-95-7, 68259-31-4, 68259-33-6, 68298-28-2, 68298-33-9, 68298-48-6, 68310-59-8, 68311-05-7, 68345-17-5, 68345-22-2, 68378-13-2, 68391-29-7, 68391-39-9, 68398-16-3, 68398-18-5, 68411-59-6, 68412-04-4, 68419-46-5, 68433-81-8, 68458-86-6, 68459-95-0, 68459-99-4, 68478-36-4, 68479-99-2, 68480-04-6, 68480-05-7, 68480-06-8, 68480-07-9, 68480-08-0, 68480-10-4, 68480-11-5, 68480-12-6, 68480-14-8, 68480-15-9, 68480-17-1, 68480-21-7, 68480-25-1, 68480-26-2, 68480-27-3, 68480-28-4, 68516-18-7, 68526-83-0, 68526-84-1, 68526-85-2, 68526-86-3, 68526-90-9, 68527-05-9, 68527-06-0, 68527-74-2, 68527-76-4, 68527-77-5, 68527-78-6, 68527-79-7, 68527-82-2, 68553-81-1, 68553-81-1, 68555-28-2, 68555-31-7, 68555-53-3, 68555-57-7, 68555-58-8, 68555-59-9, 68555-61-3, 68555-62-4, 68555-63-5, 68555-64-6, 68555-65-7, 68555-94-2, 68555-95-3, 68585-09-1, 68602-86-8, 68606-81-5, 68606-81-5, 68606-81-5, 68606-81-5, 68606-81-5, 68606-82-6, 68606-83-7, 68606-83-7, 68606-94-0, 68606-94-0, 68606-97-3, 68606-97-3, 68607-01-2, 68611-23-4, 68648-33-9, 68648-39-5, 68650-43-1, 68650-43-1, 68650-44-2, 68650-46-4, 68683-20-5, 68683-22-7, 68683-25-0, 68698-57-7, 68698-59-9, 68705-63-5, 68738-94-3, 68738-96-5, 68738-96-5, 68738-99-8, 68797-68-2, 68804-00-2, 68804-02-4, 68844-95-1, 68844-96-2, 68844-97-3, 68845-00-1, 68845-01-2, 68845-02-3, 68845-33-0, 68845-35-2, 68845-36-3, 68855-38-9, 68855-99-2, 68877-29-2, 68891-95-2, 68901-15-5, 68901-22-4, 68901-32-6, 68901-32-6, 68907-19-7, 68908-82-7, 68909-04-6, 68911-60-4, 68911-60-4, 68912-13-0, 68915-85-5, 68916-02-9, 68916-04-1, 68916-04-1, 68916-04-1, 68916-04-1, 68916-04-1, 68916-05-2, 68916-07-4, 68916-18-7, 68916-18-7, 68916-26-7, 68916-26-7, 68916-26-7, 68916-26-7, 68916-45-0, 68916-45-0, 68916-46-1, 68916-54-1, 68916-76-7, 68916-76-7, 68916-84-7, 68916-84-7, 68916-84-7, 68916-89-2, 68916-91-6, 68917-05-5, 68917-10-2, 68917-18-0, 68917-18-0, 68917-18-0, 68917-18-0, 68917-20-4, 68917-46-4, 68917-50-0, 68917-52-2, 68917-52-2, 68917-52-2, 68917-63-5, 68917-75-9, 68921-26-6, 68922-09-8, 68922-10-1, 68922-11-2, 68922-12-3, 68922-13-4, 68928-61-0, 68937-31-5, 68937-84-8, 68938-00-1, 68952-43-2, 68952-43-2, 68956-56-9, 68956-68-3, 68959-28-4, 68966-86-9, 68989-91-3, 68990-11-4, 68990-11-4, 68990-11-4, 68990-11-4, 68990-11-4, 68990-15-8, 68990-15-8, 68990-66-9, 68991-20-8, 68991-95-7, 68991-96-8, 68991-97-9, 69038-78-4, 69102-96-1, 69103-01-1, 69103-20-4, 69103-23-7, 69103-24-8, 69178-43-4, 69300-15-8, 69834-10-2, 69882-09-3, 69925-33-3, 69929-16-4, 69929-17-5, 70092-23-8, 70131-51-0, 70214-77-6, 70788-30-6, 70851-60-4, 70851-61-5, 70892-20-5, 70892-62-5, 70955-71-4, 71011-28-4, 71048-82-3, 71077-30-0, 71077-31-1, 71078-31-4, 71159-90-5, 71172-26-4, 71172-75-3, 71298-42-5, 71500
-37-3, 71566-53-5, 71605-84-0, 71605-85-1, 71617-09-9, 71617-11-3, 71648-16-3, 71648-18-5, 71648-34-5, 71648-43-6, 71662-17-4, 71662-25-4, 71662-26-5, 71735-79-0, 71820-51-4, 71832-76-3, 71850-78-7, 71850-80-1, 71949-33-2, 71990-22-2, 72007-81-9, 72089-08-8, 72175-33-8, 72183-75-6, 72214-23-4, 72214-33-6, 72402-00-7, 72403-67-9, 72429-08-4, 72779-06-7, 72785-17-2, 72797-17-2, 72812-40-9, 72845-33-1, 72845-85-3, 72854-42-3, 72869-31-9, 72869-69-3, 72869-70-6, 72881-27-7, 72894-07-6, 72894-11-2, 72894-12-3, 72894-13-4, 72894-14-5, 72894-15-6, 72928-35-9, 72928-45-1, 72928-47-3, 72928-51-9, 72928-52-0, 72934-06-6, 72934-07-7, 72934-16-8, 72968-25-3, 72968-30-0, 72968-47-9, 72968-50-4, 72968-50-4, 72968-50-4, 72968-50-4, 72968-50-4, 72968-50-4, 72968-50-4, 72968-69-5, 72987-59-8, 73003-91-5, 73018-51-6, 73019-14-4, 73049-51-1, 73138-66-6, 73263-36-2, 73296-98-7, 73296-98-7, 73347-77-0, 73360-66-4, 73398-85-3, 73507-35-4, 73545-18-3, 73545-19-4, 73952-68-8, 74094-60-3, 74094-61-4, 74094-62-5, 74094-63-6, 74113-74-9, 74298-89-8, 74367-97-8, 74499-58-4, 74499-60-8, 74585-00-5, 74912-37-1, 74962-98-4, 75039-84-8, 75048-15-6, 75147-23-8, 75490-39-0, 75587-06-3, 76238-22-7, 76649-14-4, 76649-16-6, 76649-17-7, 76649-22-4, 76649-23-5, 76649-24-6, 76649-25-7, 76649-26-8, 76788-46-0, 77129-48-7, 77851-07-1, 78417-28-4, 78548-53-5, 78649-62-4, 78989-37-4, 79893-63-3, 79915-74-5, 79930-37-3, 80118-06-5, 80118-10-1, 80314-58-5, 80417-97-6, 80480-24-6, 80657-64-3, 80858-47-5, 80866-83-7, 81782-77-6, 81782-89-0, 81783-01-9, 81786-73-4, 81786-74-5, 81786-75-6, 81836-13-7, 81836-17-1, 81925-81-7, 81974-61-0, 82185-41-9, 82356-51-2, 82461-14-1, 82654-98-6, 82784-84-7, 83334-93-4, 83846-55-3, 83863-22-3, 83863-30-3, 83863-30-3, 83863-30-3, 83863-32-5, 83863-64-3, 83926-73-2, 83984-76-3, 83984-78-5, 84012-14-6, 84012-15-7, 84012-15-7, 84012-15-7, 84012-21-5, 84012-24-8, 84012-24-8, 84012-28-2, 84012-30-6, 84012-33-9, 84012-33-9, 84012-33-9, 84012-34-0, 84012-35-1, 84012-35-1, 84012-35-1, 84012-35-1, 84012-35-1, 84012-35-1, 84012-35-1, 84012-39-5, 84012-43-1, 84012-44-2, 84012-44-2, 84012-44-2, 84012-64-6, 84029-90-3, 84029-92-5, 84029-93-6, 84041-80-5, 84060-80-0, 84082-34-8, 84082-36-0, 84082-36-0, 84082-54-2, 84082-58-6, 84082-58-6, 84082-58-6, 84082-58-6, 84082-58-6, 84082-58-6, 84082-60-0, 84082-60-0, 84082-60-0, 84082-60-0, 84082-60-0, 84082-61-1, 84082-62-2, 84082-67-7, 84082-67-7, 84082-67-7, 84082-68-8, 84082-68-8, 84082-68-8, 84082-68-8, 84082-68-8, 84082-70-2, 84082-70-2, 84082-70-2, 84082-70-2, 84082-70-2, 84082-70-2, 84082-79-1, 84082-79-1, 84082-79-1, 84082-79-1, 84082-79-1, 84082-79-1, 84082-80-4, 84082-80-4, 84082-80-4, 84082-81-5, 84082-81-5, 84082-81-5, 84082-81-5, 84082-83-7, 84082-83-7, 84082-84-8, 84238-19-7, 84238-29-9, 84238-39-1, 84238-39-1, 84238-39-1, 84254-89-7, 84434-18-4, 84434-20-8, 84434-64-0, 84434-65-1, 84455-19-6, 84455-19-6, 84455-19-6, 84455-19-6, 84455-19-6, 84455-29-8, 84455-29-8, 84560-00-9, 84603-58-7, 84603-58-7, 84603-58-7, 84603-58-7, 84603-58-7, 84603-60-1, 84603-61-2, 84603-62-3, 84603-62-3, 84603-66-7, 84603-66-7, 84603-66-7, 84603-69-0, 84603-69-0, 84603-69-0, 84603-69-0, 84603-69-0, 84603-69-0, 84603-73-6, 84603-73-6, 84603-73-6, 84604-07-9, 84604-07-9, 84604-07-9, 84604-07-9, 84604-12-6, 84604-12-6, 84604-12-6, 84604-12-6, 84604-12-6, 84604-12-6, 84604-12-6, 84604-12-6, 84604-12-6, 84604-13-7, 84604-13-7, 84604-13-7, 84604-13-7, 84604-13-7, 84604-14-8, 84604-14-8, 84604-14-8, 84604-14-8, 84604-14-8, 84604-14-8, 84604-14-8, 84604-14-8, 84604-14-8, 84604-17-1, 84625-26-3, 84625-26-3, 84625-29-6, 84625-32-1, 84625-32-1, 84625-32-1, 84625-36-5, 84625-39-8, 84625-40-1, 84625-40-1, 84625-40-1, 84625-40-1, 84625-40-1, 84625-40-1, 84642-57-9, 84642-60-4, 84649-81-0, 84649-86-5, 84649-86-5, 84649-86-5, 84649-93-4, 84649-93-4, 84649-93-4, 84649-96-7, 84649-96-7, 84649-97-8, 84649-97-8, 84649-97-8, 84649-98-9, 84649-98-9, 84649-98-9, 84649-98-9, 84649-99-0, 84649-99-0, 84649-99-0, 84650-00-0, 84650-00-0, 84650-00-0, 84650-00-0, 84650-00-0, 84650-00-0, 84650-00-0, 84650-00-0, 84650-05-5, 84650-10-2, 84650-11-3, 84650-13-5, 84650-13-5, 84650-13-5, 84650-13-5, 84650-39-5, 84650-39-5, 84650-55-5, 84650-59-9, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-60-2, 84650-63-5, 84681-92-5, 84682-20-2, 84695-96-5, 84696-05-9, 84696-07-1, 84696-07-1, 84696-07-1, 84696-07-1, 84696-07-1, 84696-07-1, 84696-10-6, 84696-13-9, 84696-13-9, 84696-13-9, 84696-15-1, 84696-15-1, 84696-15-1, 84696-15-1, 84696-19-5, 84696-24-2, 84696-24-2, 84696-27-5, 84696-27-5, 84696-47-9, 84696-51-5, 84696-51-5, 84696-51-5, 84696-51-5, 84696-51-5, 84696-53-7, 84697-09-6, 84712-50-5, 84775-39-3, 84775-39-3, 84775-39-3, 84775-39-3, 84775-39-3, 84775-39-3, 84775-41-7, 84775-41-7, 84775-41-7, 84775-41-7, 84775-41-7, 84775-41-7, 84775-41-7, 84775-42-8, 84775-42-8, 84775-45-1, 84775-45-1, 84775-50-8, 84775-50-8, 84775-50-8, 84775-50-8, 84775-50-8, 84775-50-8, 84775-51-9, 84775-52-0, 84775-52-0, 84775-52-0, 84775-53-1, 84775-64-4, 84775-64-4, 84775-64-4, 84775-66-6, 84775-66-6, 84775-66-6, 84775-66-6, 84775-66-6, 84775-66-6, 84775-66-6, 84775-70-2, 84775-70-2, 84775-70-2, 84775-70-2, 84775-70-2, 84775-70-2, 84775-70-2, 84775-70-2, 84775-70-2, 84775-70-2, 84775-71-3, 84775-71-3, 84775-71-3, 84775-71-3, 84775-71-3, 84775-73-5, 84775-74-6, 84775-74-6, 84775-74-6, 84775-74-6, 84775-74-6, 84775-74-6, 84775-80-4, 84775-80-4, 84775-83-7, 84775-83-7, 84775-83-7, 84775-83-7, 84775-83-7, 84775-83-7, 84775-96-2, 84775-98-4, 84776-10-3, 84776-23-8, 84776-23-8, 84776-23-8, 84776-64-7, 84776-64-7, 84776-65-8, 84776-67-0, 84776-98-7, 84776-98-7, 84776-98-7, 84776-98-7, 84776-98-7, 84776-98-7, 84776-98-7, 84787-69-9, 84787-69-9, 84787-70-2, 84787-70-2, 84787-70-2, 84788-08-9, 84836-94-2, 84836-99-7, 84837-04-7, 84837-06-9, 84837-06-9, 84837-06-9, 84837-08-1, 84837-14-9, 84929-19-1, 84929-19-1, 84929-26-0, 84929-26-0, 84929-26-0, 84929-26-0, 84929-27-1, 84929-28-2, 84929-31-7, 84929-31-7, 84929-31-7, 84929-31-7, 84929-31-7, 84929-35-1, 84929-38-4, 84929-38-4, 84929-38-4, 84929-41-9, 84929-41-9, 84929-47-5, 84929-47-5, 84929-47-5, 84929-51-1, 84929-51-1, 84929-51-1, 84929-51-1, 84929-51-1, 84929-52-2, 84929-52-2, 84929-57-7, 84929-61-3, 84929-61-3, 84929-61-3, 84929-61-3, 84929-61-3, 84929-76-0, 84929-76-0, 84929-78-2, 84929-78-2, 84929-78-2, 84929-79-3, 84929-79-3, 84961-45-5, 84961-45-5, 84961-45-5, 84961-45-5, 84961-45-5, 84961-45-5, 84961-46-6, 84961-46-6, 84961-46-6, 84961-46-6, 84961-46-6, 84961-46-6, 84961-49-9, 84961-49-9, 84961-49-9, 84961-50-2, 84961-50-2, 84961-50-2, 84961-50-2, 84961-50-2, 84961-50-2, 84961-57-9, 84961-57-9, 84961-62-6, 84961-62-6, 84961-64-8, 84961-64-8, 84961-64-8, 84961-64-8, 84961-64-8, 84961-64-8, 84961-66-0, 84961-66-0, 84961-67-1, 84961-67-1, 84961-67-1, 84961-67-1, 84988-66-9, 84988-66-9, 84988-66-9, 84988-87-4, 85085-29-6, 85085-29-6, 85085-34-3, 85085-34-3, 85085-41-2, 85085-43-4, 85085-46-7, 85085-47-8, 85085-48-9, 85085-48-9, 85085-48-9, 85085-49-0, 85085-49-0, 85085-54-7, 85085-61-6, 85085-68-3, 85085-69-4, 85085-75-2, 85085-75-2, 85085-75-2, 85085-75-2, 85085-76-3, 85085-76-3, 85116-63-8, 85136-05-6, 85136-06-7, 85136-07-8, 85136-08-9, 85136-10-3, 85180-66-1, 85203-56-1, 85203-56-1, 85232-76-4, 85251-63-4, 85251-63-4, 85251-66-7, 85251-67-8, 85251-67-8, 85351-07-1, 85409-36-5, 85480-32-6, 85480-33-7, 85480-33-7, 85480-33-7, 85480-37-1, 85480-37-1, 85480-37-1, 85480-47-3, 85507-69-3, 85507-69-3, 85508-08-3, 85536-25-0, 85554-64-9, 85554-69-4, 85554-72-9, 85586-66-9, 85586-67-0, 85665-35-6, 85940-29-0, 85940-29-0, 85940-31-4, 85940-31-4, 85940-31-4, 85940-32-5, 85940-32-5, 85940-32-5, 85940-38-1, 85960-81-2, 86115-11-9, 86198-35-8, 87061-04-9, 87118-95-4, 87641-24-5, 87731-18-8, 89957-44-8, 89957-63-1, 89957-91-5, 89957-91-5, 89957-91-5, 89957-91-5, 89957-91-5, 89957-93-7, 89957-97-1, 89957-98-2, 89957-98-2, 89957-98-2, 89957-99-3, 89957-99-3, 89958-10-1, 89958-29-2, 89958-29-2, 89958-29-2, 89958-30-5, 89958-31-6, 89958-31-6, 89997-33-1, 89997-34-2, 89997-34-2, 89997-34-2, 89997-35-3, 89997-35-3, 89997-35-3, 89997-35-3, 89997-35-3, 89997-47-7, 89997-53-5, 89997-56-8, 89997-56-8, 89997-63-7, 89997-74-0, 89997-74-0, 89997-74-0, 89997-74-0, 89997-88-6, 89997-88-6, 89997-96-6, 89998-01-6, 89998-14-1, 89998-14-1, 89998-14-1, 89998-14-1, 89998-14-1, 89998-14-1, 89998-15-2, 89998-16-3, 90028-03-8, 90028-03-8, 90028-03-8, 90028-06-1, 90028-36-7, 90028-36-7, 90028-38-9, 90028-48-1, 90028-48-1, 90028-67-4, 90028-67-4, 90028-68-5, 90028-68-5, 90028-70-9, 90028-70-9, 90028-76-5, 90028-76-5, 90028-76-5, 90028-76-5, 90028-83-4, 90028-83-4, 90045-28-6, 90045-36-6, 90045-38-8, 90045-43-5, 90045-43-5, 90045-43-5, 90045-43-5, 90045-43-5, 90045-43-5, 90045-43-5, 90045-43-5, 90045-43-5, 90045-46-8, 90045-53-7, 90045-56-0, 90045-56-0, 90045-56-0, 90045-62-8, 90045-89-9, 90045-89-9, 90045-89-9, 90045-89-9, 90045-90-2, 90045-90-2, 90045-91-3, 90045-94-6, 90045-94-6, 90045-94-6, 90046-02-9, 90046-02-9, 90046-02-9, 90046-02-9, 90046-02-9, 90046-03-0, 90046-17-6, 90046-17-6, 90046-17-6, 90046-17-6, 90046-17-6, 90063-37-9, 90063-37-9, 90063-37-9, 90063-37-9, 90063-37-9, 90063-37-9, 90063-37-9, 90063-37-9, 90063-37-9, 90063-38-0, 90063-52-8, 90063-52-8, 90063-52-8, 90063-53-9, 90063-53-9, 90063-55-1, 90063-56-2, 90063-59-5, 90063-63-1, 90063-63-1, 90063-63-1, 90063-63-1, 90063-63-1, 90063-85-7, 90063-86-8, 90063-97-1, 90063-97-1, 90064-00-9, 90064-00-9, 90064-09-8, 90064-24-7, 90064-25-8, 90064-25-8, 90064-26-9, 90064-26-9, 90064-27-0, 90064-28-1, 90064-32-7, 90064-32-7, 90064-32-7, 90064-34-9, 90064-34-9, 90064-34-9, 90064-35-0, 90082-13-6, 90082-13-6, 90082-23-8, 90082-26-1, 90082-43-2, 90082-43-2, 90082-43-2, 90082-45-4, 90082-46-5, 90082-46-5, 90082-46-5, 90082-46-5, 90082-51-2, 90082-51-2, 90082-51-2, 90082-51-2, 90082-51-2, 90082-55-6, 90082-55-6, 90082-55-6, 90082-55-6, 90082-59-0, 90082-60-3, 90082-60-3, 90082-60-3, 90082-60-3, 90082-61-4, 90082-61-4, 90082-72-7, 90082-73-8, 90082-74-9, 90082-74-9, 90082-75-0, 90082-75-0, 90082-77-2, 90082-77-2, 90082-82-9, 90082-82-9, 90106-03-9, 90106-03-9
, 90106-21-1, 90106-38-0, 90106-38-0, 90106-38-0, 90106-38-0, 90106-49-3, 90106-49-3, 90106-49-3, 90106-54-0, 90106-68-6, 90131-10-5, 90131-10-5, 90131-21-8, 90131-24-1, 90131-25-2, 90131-36-5, 90131-43-4, 90131-45-6, 90131-45-6, 90131-58-1, 90131-58-1, 90131-58-1, 90131-59-2, 90131-63-8, 90131-63-8, 90131-63-8, 90131-83-2, 90131-83-2, 90131-89-8, 90147-36-7, 90147-36-7, 90147-36-7, 90147-36-7, 90147-36-7, 90147-36-7, 90147-36-7, 90244-89-6, 90244-99-8, 90320-35-7, 90320-35-7, 90320-37-9, 90320-42-6, 90320-42-6, 90320-49-3, 90397-38-9, 90411-73-7, 90480-35-6, 90480-40-3, 90530-04-4, 90604-30-1, 90622-57-4, 90622-58-5, 90622-72-3, 90989-95-0, 90990-04-8, 91052-92-5, 91053-31-5, 91053-40-6, 91078-93-2, 91079-33-3, 91080-23-8, 91082-91-6, 91672-23-0, 91697-89-1, 91721-75-4, 91721-75-4, 91721-98-1, 91721-98-1, 91722-18-8, 91722-18-8, 91722-18-8, 91722-19-9, 91722-19-9, 91722-19-9, 91722-29-1, 91722-29-1, 91722-39-3, 91722-39-3, 91722-47-3, 91722-54-2, 91722-54-2, 91722-58-6, 91722-58-6, 91722-61-1, 91722-61-1, 91722-62-2, 91722-65-5, 91722-66-6, 91722-69-9, 91722-69-9, 91722-69-9, 91722-81-5, 91722-83-7, 91722-83-7, 91722-84-8, 91722-84-8, 91722-87-1, 91722-87-1, 91722-87-1, 91722-89-3, 91722-91-7, 91722-93-9, 91723-40-9, 91745-64-1, 91745-85-6, 91745-85-6, 91745-88-9, 91745-89-0, 91745-89-0, 91745-89-0, 91745-89-0, 91745-97-0, 91745-97-0, 91770-11-5, 91770-12-6, 91770-12-6, 91770-14-8, 91770-14-8, 91770-14-8, 91770-14-8, 91770-17-8, 91770-24-0, 91770-38-6, 91770-38-6, 91770-38-6, 91770-47-7, 91770-48-8, 91770-48-8, 91770-56-8, 91770-56-8, 91770-56-8, 91770-56-8, 91770-68-2, 91770-68-2, 91770-69-3, 91770-75-1, 91770-75-1, 91770-83-1, 91770-83-1, 91770-83-1, 91770-88-6, 91770-88-6, 91771-36-7, 91771-36-7, 91771-36-7, 91771-40-3, 91771-47-0, 91771-47-0, 91771-48-1, 91771-48-1, 91771-48-1, 91771-48-1, 91771-48-1, 91771-50-5, 91771-50-5, 91771-50-5, 91771-50-5, 91771-52-7, 91771-60-7, 91771-60-7, 91771-61-8, 91771-62-9, 91771-62-9, 91771-65-2, 91771-67-4, 91771-68-5, 91771-68-5, 91771-69-6, 91844-86-9, 91844-86-9, 91844-92-7, 91844-92-7, 91845-22-6, 91845-22-6, 91845-22-6, 91845-26-0, 91845-26-0, 91845-35-1, 91845-48-6, 91845-48-6, 91845-48-6, 91845-53-3, 91845-54-4, 92015-65-1, 92113-09-2, 92113-39-8, 92128-34-2, 92128-34-2, 92128-62-6, 92128-62-6, 92201-48-4, 92201-50-8, 92201-50-8, 92201-55-3, 92201-55-3, 92201-55-3, 92201-55-3, 92201-56-4, 92201-64-4, 92201-64-4, 92201-74-6, 92201-96-2, 92202-02-3, 92202-02-3, 92202-04-5, 92202-04-5, 92346-82-2, 92346-85-5, 92346-85-5, 92346-89-9, 92346-89-9, 92346-89-9, 92346-89-9, 92346-89-9, 92346-89-9, 92346-89-9, 92346-89-9, 92347-02-9, 92347-02-9, 92347-05-2, 92347-05-2, 92347-05-2, 92347-09-6, 92347-13-2, 92347-13-2, 92347-21-2, 92347-25-6, 92347-25-6, 92368-90-6, 92456-63-8, 92456-63-8, 92456-82-1, 92457-16-4, 92457-18-6, 92457-18-6, 92502-71-1, 92585-24-5, 92623-75-1, 92623-76-2, 92623-76-2, 92623-76-2, 92704-01-3, 92704-01-3, 92704-03-5, 92704-03-5, 92704-03-5, 92704-03-5, 92704-03-5, 92704-03-5, 92704-07-9, 92729-55-0, 92874-96-9, 92875-02-0, 92908-29-7, 93062-64-7, 93062-89-6, 93165-00-5, 93165-00-5, 93165-11-8, 93165-11-8, 93165-18-5, 93165-22-1, 93165-22-1, 93165-40-3, 93165-40-3, 93165-40-3, 93165-40-3, 93165-50-5, 93165-50-5, 93334-48-6, 93334-48-6, 93334-56-6, 93348-14-2, 93348-31-3, 93348-49-3, 93384-28-2, 93384-32-8, 93384-32-8, 93384-40-8, 93384-40-8, 93455-95-9, 93455-95-9, 93455-96-0, 93455-97-1, 93572-64-6, 93685-34-8, 93685-55-3, 93685-55-3, 93685-73-5, 93685-73-5, 93685-88-2, 93685-88-2, 93685-96-2, 93685-96-2, 93686-00-1, 93686-22-7, 93686-22-7, 93686-30-7, 93762-34-6, 93763-95-2, 93777-41-4, 93804-64-9, 93804-81-0, 93805-22-2, 93805-72-2, 93840-90-5, 93843-13-1, 93857-93-3, 93882-22-5, 93892-03-6, 93892-04-7, 93892-05-8, 93892-07-0, 93893-89-1, 93894-30-5, 93904-56-4, 93917-67-0, 93919-04-1, 93939-86-7, 93941-67-4, 93941-69-6, 93941-73-2, 93942-00-8, 93952-58-0, 93963-78-1, 93981-50-1, 93981-59-0, 93981-63-6, 94021-42-8, 94021-60-0, 94022-01-2, 94022-02-3, 94022-06-7, 94022-07-8, 94071-12-2, 94087-23-7, 94087-83-9, 94089-01-7, 94089-21-1, 94089-23-3, 94108-09-5, 94109-97-4, 94133-92-3, 94134-03-9, 94159-31-6, 94159-32-7, 94160-12-0, 94167-14-3, 94200-10-9, 94200-11-0, 94201-19-1, 94201-28-2, 94201-73-7, 94248-21-2, 94248-38-1, 94265-97-1, 94265-98-2, 94265-99-3, 94266-43-0, 94266-45-2, 94266-47-4, 94266-47-4, 94266-48-5, 94266-48-5, 94266-48-5, 94266-48-5, 94278-39-4, 94279-82-0, 94279-84-2, 94280-15-6, 94291-50-6, 94333-50-3, 94333-69-4, 94333-73-0, 94333-75-2, 94333-77-4, 94333-78-5, 94333-88-7, 94333-91-2, 94333-91-2, 94333-93-4, 94333-96-7, 94333-99-0, 94333-99-0, 94333-99-0, 94333-99-0, 94333-99-0, 94334-02-8, 94334-04-0, 94334-06-2, 94334-11-9, 94334-12-0, 94334-13-1, 94334-14-2, 94334-25-5, 94334-26-6, 94334-32-4, 94334-32-4, 94334-35-7, 94334-35-7, 94334-35-7, 94334-53-9, 94349-73-2, 94350-02-4, 94350-02-4, 94350-02-4, 94350-02-4, 94350-09-1, 94350-09-1, 94386-39-7, 94386-48-8, 94406-01-6, 94406-15-2, 94465-76-6, 94891-25-5, 94891-27-7, 94891-27-7, 94891-27-7, 94891-27-7, 94891-27-7, 94891-28-8, 95009-46-4, 95009-46-4, 96507-91-4, 96507-91-4, 96682-10-9, 97231-35-1, 97281-55-5, 97358-54-8, 97358-55-9, 97384-48-0, 97404-53-0, 97404-53-0, 97435-14-8, 97435-14-8, 97553-36-1, 97553-37-2, 97593-06-1, 97593-29-8, 97593-51-6, 97659-55-7, 97659-68-2, 97659-70-6, 97659-70-6, 97660-07-6, 97660-07-6, 97675-63-3, 97675-68-8, 97675-74-6, 97676-05-6, 97676-05-6, 97676-05-6, 97676-05-6, 97676-05-6, 97676-09-0, 97676-13-6, 97676-19-2, 97676-22-7, 97676-22-7, 97676-22-7, 97676-22-7, 97722-12-8, 97722-12-8, 97722-12-8, 97752-28-8, 97766-30-8, 97766-30-8, 97766-30-8, 97766-30-8, 97766-30-8, 97926-19-7, 97926-23-3, 97926-41-5, 97926-41-5, 97926-74-4, 97926-84-6, 97927-02-1, 97952-61-9, 97952-71-1, 97952-72-2, 97952-72-2, 97952-72-2, 97952-72-2, 97952-72-2, 97952-72-2, 97952-72-2, 97952-72-2, 98084-79-8, 98306-02-6, 98314-98-8, 98561-44-5, 98561-44-5, 98653-81-7, 98653-81-7, 98653-81-7, 98903-76-5, 98903-76-5, 99098-35-8, 99811-75-3, 99886-27-8, 99948-88-6, 100084-96-6, 100209-23-2, 100209-32-3, 100209-33-4, 100298-95-1, 101426-31-7, 102242-62-6, 102322-83-8, 103694-68-4, 104468-21-5, 104986-28-9, 106232-83-1, 111850-00-1, 111879-80-2, 113486-29-6, 114099-96-6, 114119-97-0, 115422-59-8, 116963-97-4, 118562-73-5, 121199-28-8, 121432-33-5, 122760-84-3, 122760-85-4, 122795-41-9, 122861-78-3, 125109-85-5, 125352-06-9, 127248-84-4, 127931-21-9, 128119-70-0, 128489-04-3, 129316-65-0, 131766-73-9, 131812-67-4, 134123-93-6, 136954-20-6, 136954-25-1, 139504-68-0, 139539-66-5, 139564-42-4, 141773-73-1, 142653-61-0, 153175-57-6, 154171-76-3, 156472-94-5, 163266-17-9, 165191-91-3, 166301-21-9, 169054-69-7, 170678-49-6, 180964-47-0, 188417-26-7, 188570-78-7, 196109-18-9, 198404-98-7, 203719-53-3, 203719-54-4, 207801-32-9, 211241-68-8, 211323-05-6, 220621-22-7, 223749-05-1, 233665-90-2, 233665-96-8, 233666-04-1, 253596-70-2, 292605-05-1, 324742-96-3, 338735-71-0, 365411-50-3, 400052-49-5, 437770-28-0, 444085-42-1, 478695-70-4, 479547-57-4, 648434-55-3, 723759-62-4, 831213-72-0, 850309-45-4, 851768-51-9, 852997-28-5, 871465-49-5, 888021-82-7, 891781-90-1, 896447-13-5, 923593-56-0, 923593-57-1, 929116-08-5, 930587-76-1, 977017-81-4, 977017-82-5, 977018-53-3, 977029-66-5, 977029-68-7, 977060-66-4, 977075-23-2, 977091-83-0, 977185-29-7, 984650-63-5, 1048028-77-8, 1048028-77-8, 1064678-08-5, 1174331-46-4, 1192738-48-9, および 1271488-66-4からなる群から選択されるＣＡＳ番号を有する１つ以上の物質を備えることができる。
【０１１４】
ここで使用するように、用語「約」は、±１０％を指す。
【０１１５】
ワード「例示的」は、ここでは、「例、事例、または実例としての役割を果たすこと」を意味するように使用される。「例示的」として説明した任意の実施形態は、必ずしも、他の実施形態よりも好ましいまたは有利であると解釈すべきではなく、ならびに／あるいは、他の実施形態からの特徴の組み込みを除外しない。
【０１１６】
ワード「オプション的に」は、「いくつかの実施形態において提供され、他の実施形態において提供されない」を意味するようにここで使用される。本発明の任意の特定の実施形態は、このような特徴が競合しない限り、複数の「オプション的な」特徴を含んでいてもよい。
【０１１７】
用語「備える」、「備えている」、「含む」、「含んでいる」、「有している」、および、これらの活用は、「を含むがこれらに限定されない」を意味する。
【０１１８】
用語「からなる」は、「を含み、これらに限定される」を意味する。
【０１１９】
用語「本質的に〜からなる」は、組成物、方法または構造が、追加の成分、ステップおよび／または部分を含んでいてもよいが、追加の成分、ステップおよび／または部分が、請求項中に記載されている組成物、方法または構造の基本的で新規な特徴を実質的に変更しない場合に限られることを意味する。
【０１２０】
ここで使用されるように、単数形の「ａ」、「ａｎ」および「ｔｈｅ」は、そうではないと文脈が明確に決定していない限り、複数の参照も含む。例えば、用語「化合物」または「少なくとも１つの化合物」は、その混合物を含む複数の化合物を含んでいてもよい。
【０１２１】
本出願を通して、本発明のさまざまな実施形態を範囲形式で提示してもよい。範囲形式での説明は、便宜と簡潔さのために過ぎず、本発明の範囲に関する柔軟性のない限定として解釈すべきではないことを理解すべきである。したがって、範囲の説明は、すべての可能性ある部分的範囲とともにその範囲内の個々の数値を具体的に開示しているとみなすべきである。例えば、１から６のような範囲の説明は、１から３、１から４、１から５、２から４、２から６、３から６等のような部分的範囲とともに、例えば、１、２、３、４、５、および６のような範囲内の個々の数を具体的に開示しているとみなすべきである。これは、範囲の広さに関係なく適用される。
【０１２２】
数値範囲がここに示されているときはいつでも、示した範囲内に任意の引用された数字（分数または整数）を含むことを意味する。フレーズ、第１の表示数と第２の表示数「との間の範囲」、および、第１の表示数「から」第２の表示数「までの範囲」は、ここでは交換可能に使用され、第１および第２の表示数とこれらの間のすべての分数および整数を含むことを意味する。
【０１２３】
明確にするために、別個の実施形態の文脈で説明した本発明のある特徴はまた、単一の実施形態において組み合わせて提供されてもよいことが理解される。逆に、簡潔にするために、単一の実施形態の文脈で説明した本発明のさまざま特徴は、本発明の他の何らかの説明した実施形態において別々に、または、任意の適切なサブコンビネーションで、または、適切に、提供されてもよい。実施形態がこれらの要素なしでは動作不能でない限り、さまざまな実施形態の文脈で説明したある特徴を、これらの実施形態の本質的な特徴とみなすべきではない。
【０１２４】
本発明は、その特定の実施形態とともに説明してきたが、多くの代替、修正、および、バリエーションが当業者に明らかであろうことが明白である。したがって、添付の特許請求の精神および広い範囲内に入る、すべてのこのような代替、修正、およびバリエーションを包含することが意図される。
【０１２５】
本明細書で言及したすべての刊行物、特許、および、特許出願は、あたかもそれぞれの個々の刊行物、特許、または、特許出願が、具体的におよび個別的に、参照によってここに組み込まれるように示されているかのように、同程度にその全体が参照により本明細書に組み込まれる。さらに、本出願における任意の参照の引用または識別は、このような参照が本発明の先行技術として利用可能であるという承認として解釈すべきでない。セクション見出しが使用される限り、これらを必ず限定するものとして解釈すべきでない。
【図１Ａ】
2020521554.tif 000003
【図１Ｂ】
2020521554.tif 000004
【図２】
2020521554.tif 000005
【図３Ａ】
2020521554.tif 000006
【図３Ｂ】
2020521554.tif 000007
【図３Ｃ】
2020521554.tif 000008
【図３Ｄ】
2020521554.tif 000009
【図３Ｅ】
2020521554.tif 000010
【図３Ｆ】
2020521554.tif 000011
【図３Ｇ】
2020521554.tif 000012
【図３Ｈ】
2020521554.tif 000013
【国際調査報告】
2020521554.tif 000014
2020521554.tif 000015